(57)【要約】【課題】ユーザの満足度を維持しつつ、ユーザの回転率を上げることができるようにする。【解決手段】ある利用者が装置の利用を終えてから、次の利用者が装置の利用を開始するまでの時間に基づいて混雑時であると判定された場合、写真シール作成装置１のモードとして早退優遇モードが設定される。早退優遇モードが設定されている場合、撮影処理と、撮影処理に続けて行われる編集処理を予め設定されている制限時間内に終了させたユーザに対して特典が提供される。特典の内容は、より早いタイミングでそれらの処理を終了させたユーザに対して、より程度の高いものとされ、より早いタイミングで処理を終了させることが促される。本発明は、撮影処理と、その撮影処理により得られた画像の編集を行う編集処理を含む一連の処理を、代金を支払ったユーザに提供する写真シール作成装置に適用することができる。【選択図】図１
2005121896.tif 000002
【特許請求の範囲】
【請求項１】
撮影処理、および、その撮影処理により得られた画像の編集を行う編集処理を含む一連の処理を、代金を支払ったユーザに提供する写真シール作成装置において、
前記撮影処理を行っているユーザ、および、前記編集処理を行っているユーザのうちの少なくともいずれかのユーザに対して、予め設定されている制限時間内に残余時間を残してその処理を終えることを提案する提案手段と、
前記提案手段による提案に応じて、前記制限時間内に前記撮影処理または前記編集処理を終えたユーザに対して特典を提供する提供手段と
を備えることを特徴とする写真シール作成装置。
【請求項２】
前記提案手段は、前記残余時間が所定時間以上あれば利用者に特典を提供する
ことを特徴とする請求項１に記載の写真シール作成装置。
【請求項３】
前記提供手段は、前記撮影処理の終了時における残余時間、および、前記編集処理の終了時における残余時間に応じて、前記特典の内容を変えて提供する
ことを特徴とする請求項１または２に記載の写真シール作成装置。
【請求項４】
前記提案手段による提案、および、前記提供手段による前記特典の提供は、単位時間あたりの利用されていない時間が所定の時間より少ない場合に行われる
ことを特徴とする請求項１，２または３に記載の写真シール作成装置。
【請求項５】
前記写真シール作成装置の利用を開始することにより、前記特典を受けることができることを提示する提示手段をさらに備える
ことを特徴とする請求項１乃至４のいずれかに記載の写真シール作成装置。
【請求項６】
前記編集処理により編集が施された画像とともに、前記特典を受けるためにユーザが用いる情報をシール紙に印刷する印刷手段をさらに備え、
前記提供手段は、前記印刷手段により印刷された前記シール紙を提供する
ことを特徴とする請求項１乃至５のいずれかに記載の写真シール作成装置。
【請求項７】
前記編集処理を行う編集空間と、前記撮影処理を行う撮影空間とが異なる空間として形成され、前記編集処理を第１のユーザが行なうとともに前記撮影処理を第２のユーザが行なっている場合、
前記提案手段は、前記制限時間内に前記撮影処理を終了させた前記撮影空間にいる前記第２のユーザからの要求に応じて、第１の特典を受ける代わりに、前記編集処理を終えることを前記編集処理を継続している前記編集空間にいる前記第１のユーザに対して提案する
ことを特徴とする請求項１に記載の写真シール作成装置。
【請求項８】
前記提案手段は、前記第２のユーザからの１度目の提案に対して前記第１のユーザが前記編集処理を終えなかった場合において、前記第２のユーザから再度の提案が要求されたとき、前記第１の特典とは異なる第２の特典を受ける代わりに、前記制限時間内に前記編集処理を終えることを前記第１のユーザに対して再度提案し、
再度の提案に応じて前記第１のユーザが前記編集処理を終えた場合、前記第２のユーザが前記編集空間で行う前記編集処理に、予め設定された制限を設定する設定手段をさらに備える
ことを特徴とする請求項７に記載の写真シール作成装置。
【請求項９】
撮影処理、および、その撮影処理により得られた画像の編集を行う編集処理を含む一連の処理を、代金を支払ったユーザに提供する写真シール作成装置の写真シール作成方法において、
所定の制限時間を設定し、ユーザを撮影する撮影ステップと、
所定の制限時間を設定し、前記撮影ステップの処理により撮影されたユーザの画像を編集する編集ステップと、
前記撮影ステップの処理で提供される前記撮影処理を行っているユーザ、および、前記編集ステップの処理で提供される前記編集処理を行っているユーザのうちの少なくともいずれかのユーザに対して、予め設定されている制限時間内にその処理を終えることを提案する提案ステップと、
前記提案ステップの処理による提案に応じて、前記制限時間内に前記撮影処理または前記編集処理を終えたユーザに対して特典を提供する提供ステップと
を含むことを特徴とする写真シール作成方法。
【請求項１０】
前記編集処理を行う編集空間と、前記撮影処理を行う撮影空間とが異なる空間として形成され、前記編集処理を第１のユーザが行なうとともに前記撮影処理を第２のユーザが行なっている場合、
前記提案ステップの処理は、前記制限時間内に前記撮影処理を終了させた前記撮影空間にいる前記第２のユーザからの要求に応じて、第１の特典を受ける代わりに、前記編集処理を終えることを前記編集空間にいる前記第１のユーザに対して提案する
ことを特徴とする請求項９に記載の写真シール作成方法。
【請求項１１】
撮影処理、および、その撮影処理により得られた画像の編集を行う編集処理を含む一連の処理を、代金を支払ったユーザに提供する処理をコンピュータに実行させるプログラムにおいて、
所定の制限時間を設定し、ユーザを撮影する撮影ステップと、
所定の制限時間を設定し、前記撮影ステップの処理により撮影されたユーザの画像を編集する編集ステップと、
前記撮影ステップの処理で提供される前記撮影処理を行っているユーザ、および、前記編集ステップの処理で提供される前記編集処理を行っているユーザのうちの少なくともいずれかのユーザに対して、予め設定されている制限時間内にその処理を終えることを提案する提案ステップと、
前記提案ステップの処理による提案に応じて、前記制限時間内に前記撮影処理または前記編集処理を終えたユーザに対して特典を提供する提供ステップと
を含むことを特徴とするプログラム。
【発明の詳細な説明】
【技術分野】
【０００１】
本発明は写真シール作成装置および写真シール作成方法、並びにプログラムに関し、特に、ユーザの満足度を維持しつつ、ユーザの回転率を上げることができるようにした写真シール作成装置および写真シール作成方法、並びにプログラムに関する。
【背景技術】
【０００２】
従来、被写体を撮影し、これを予め用意されたフレーム画像と合成してシール紙などに印刷して提供する画像プリント作成装置（例えば、プリント倶楽部（登録商標））が知られている。この画像プリント作成装置では、ユーザが画像編集を行なうことができる。
【０００３】
一般的には、画像プリント作成装置には、装置の接客回転率を維持するために、１回のゲーム（撮影および編集）毎に制限時間が設けられており、ユーザは、画像プリント作成装置に設けられる撮影用の１台のカメラで撮影した後、選択した画像に対して落書きをする。
【０００４】
この制限時間を管理するものとして、例えば、特許文献１には、撮影空間と編集空間を分離して、撮影空間に次のユーザがいない場合、編集時間を延長または制限する画像プリント作成装置が提案されている。
【特許文献１】特許第３３２４０３８号公報
【発明の開示】
【発明が解決しようとする課題】
【０００５】
しかしながら、特許文献１に開示されているような画像プリント作成装置においては、閑散時間帯（待っているユーザがいない時間帯）には、編集時間が延長されることからユーザの満足度を向上させることはできるが、繁忙時間帯（混雑時）には、装置の稼動率（ユーザの回転率）が頭打ちになってしまうという課題があった。
【０００６】
これは、制限時間に余裕を残してゲーム（撮影および編集）を終了可能な場合であっても、長時間並んだため、制限時間ぎりぎりまで時間を使い切ろうとするユーザ心理からくるものである。
【０００７】
本発明はこのような状況に鑑みてなされたものであり、画像プリント作成装置の混雑時においても、ユーザの満足度を維持しつつ、ユーザの回転率を向上させることができるようにするものである。
【課題を解決するための手段】
【０００８】
本発明の写真シール作成装置は、撮影処理、および、その撮影処理により得られた画像の編集を行う編集処理を含む一連の処理を、代金を支払ったユーザに提供する写真シール作成装置であって、撮影処理を行っているユーザ、および、編集処理を行っているユーザのうちの少なくともいずれかのユーザに対して、予め設定されている制限時間内に残余時間を残してその処理を終えることを提案する提案手段と、提案手段による提案に応じて、制限時間内に撮影処理または編集処理を終えたユーザに対して特典を提供する提供手段とを備えることを特徴とする。
【０００９】
ここで、「撮影処理を行っているユーザ」と「編集処理を行っているユーザ」は、複数人からなるグループのユーザであってもよいし、個人のユーザであってもよい。また、「撮影処理を行っているユーザ」と「編集処理を行っているユーザ」は、同一のユーザであってもよいし、異なるユーザであってもよい。
【００１０】
「特典」は、例えば、各種のクーポン券や、撮影し、編集を施して得られる編集済みの画像を、ユーザの携帯電話機などに配信するサービス、或いは、シール紙に特殊なコーティングが施されるサービスなど、ユーザが、制限時間内に残余時間を残して撮影処理や編集処理を終えることに価値を見い出すことができるようなものであればどのような特典が用意されるようにしてもよい。
【００１１】
提案手段は、残余時間が所定時間以上あれば利用者に特典を提供するするようにすることができる。
【００１２】
提供手段は、撮影処理の終了時における残余時間、および、編集処理の終了時における残余時間に応じて、特典の内容を変えて提供するようにすることができる。
【００１３】
例えば、より長い残余時間を残して撮影処理や編集処理を終えたユーザに対しては、より程度の高い内容の特典が提供される。
【００１４】
提案手段による提案、および、提供手段による特典の提供は、単位時間あたりの利用されていない時間が所定の時間より少ない場合に行われるようにすることができる。
【００１５】
本発明の写真シール作成装置は、写真シール作成装置の利用を開始することにより、特典を受けることができることを提示する提示手段をさらに備えるようにすることができる。
【００１６】
編集処理により編集が施された画像とともに、特典を受けるためにユーザが用いる上方をシール紙に印刷する印刷手段をさらに備え、提供手段は、印刷手段により印刷されたシール紙を提供するようにすることができる。
【００１７】
編集処理を行う編集空間と、撮影処理を行う撮影空間とが異なる空間として形成され、編集処理を第１のユーザが行なうとともに撮影処理を第２のユーザが行なっている場合、提案手段は、制限時間内に撮影処理を終了させた第２のユーザからの要求に応じて、第１の特典を受ける代わりに、編集処理を終えることを編集処理を継続している編集空間にいる第１のユーザに対して提案するようにすることができる。
【００１８】
提案手段は、第２のユーザからの１度目の提案に対して第１のユーザが編集処理を終えなかった場合において、第２のユーザから再度の提案が要求されたとき、第１の特典とは異なる第２の特典を受ける代わりに、制限時間内に編集処理を終えることを第１のユーザに対して再度提案するようにすることができる。この場合、本発明の写真シール作成装置は、再度の提案に応じて第１のユーザが編集処理を終えた場合、第２のユーザが編集空間で行う編集処理に、予め設定された制限を設定する設定手段をさらに備えるようにすることができる。
【００１９】
本発明の写真シール作成方法は、撮影処理、および、その撮影処理により得られた画像の編集を行う編集処理を含む一連の処理を、代金を支払ったユーザに提供する写真シール作成装置の写真シール作成方法であって、所定の制限時間を設定し、ユーザを撮影する撮影ステップと、所定の制限時間を設定し、撮影ステップの処理により撮影されたユーザの画像を編集する編集ステップと、撮影ステップの処理で提供される撮影処理を行っているユーザ、および、編集ステップの処理で提供される編集処理を行っているユーザのうちの少なくともいずれかのユーザに対して、予め設定されている制限時間内にその処理を終えることを提案する提案ステップと、提案ステップの処理による提案に応じて、制限時間内に編集処理または編集処理を終えたユーザに対して特典を提供する提供ステップとを含むことを特徴とする。
【００２０】
編集処理を行う編集空間と、撮影処理を行う撮影空間とが異なる空間として形成され、編集処理を第１のユーザが行なうとともに撮影処理を第２のユーザが行なっている場合、提案ステップの処理は、制限時間内に撮影処理を終了させた撮影空間にいる第２のユーザからの要求に応じて、第１の特典を受ける代わりに、編集処理を終えることを編集空間にいる第１のユーザに対して提案するようにすることができる。
【００２１】
本発明のプログラムは、撮影処理、および、その撮影処理により得られた画像の編集を行う編集処理を含む一連の処理を、代金を支払ったユーザに提供する処理をコンピュータに実行させるプログラムであって、所定の制限時間を設定し、ユーザを撮影する撮影ステップと、所定の制限時間を設定し、撮影ステップの処理により撮影されたユーザの画像を編集する編集ステップと、撮影ステップの処理で提供される撮影処理を行っているユーザ、および、編集ステップの処理で提供される編集処理を行っているユーザのうちの少なくともいずれかのユーザに対して、予め設定されている制限時間内にその処理を終えることを提案する提案ステップと、提案ステップの処理による提案に応じて、制限時間内に編集処理または編集処理を終えたユーザに対して特典を提供する提供ステップとをコンピュータに実行させることを特徴とする。
【００２２】
本発明の写真シール作成装置および写真シール作成方法、並びにプログラムにおいては、撮影処理を行っているユーザ、および、編集処理を行っているユーザのうちの少なくともいずれかのユーザに対して、予め設定されている制限時間内に残余時間を残してその処理を終えることが提案され、その提案に応じて、制限時間内に撮影処理または編集処理を終えたユーザに対して特典が提供される。
【発明の効果】
【００２３】
本発明によれば、撮影や編集を短い時間で終了させることができる。また、写真シール作成装置の利用を早い時間で終えることをユーザに促すことができる。さらに、混雑時においてもユーザの満足度を維持しつつ、ユーザの回転率を向上させることができる。
【発明を実施するための最良の形態】
【００２４】
以下に、本発明の実施の形態について図面を参照して説明する。
【００２５】
［第１の実施の形態］
【００２６】
図１は、本発明を適用した写真シール作成装置１の外観の構成例を示している。
【００２７】
写真シール作成装置１には、主に筐体１１、天井パネル１２、側面パネル１３−１、側面パネル１３−２および背景パネル１４が設けられている。筐体１１の対向する面には背景パネル１４が設けられ、その背景パネル１４の左右に接するように、側面パネル１３−１と側面パネル１３−２が配置されている。天井パネル１２は、筐体１１、側面パネル１３−１、側面パネル１３−２、および背景パネル１４に支持されている。なお以下において、側面パネル１３−１と側面パネル１３−２のそれぞれを個別に区別する必要がない場合、側面パネル１３と称する。
【００２８】
撮影編集空間１５は、筐体１１、天井パネル１２、側面パネル１３、背景パネル１４により囲われて形成されている。また、撮影編集空間１５の内部が外側から見えないように、撮影編集空間１５の出入口部分には、図示せぬカーテンが取り付けられる。
【００２９】
写真シール作成装置１の筐体１１上方の、床に対して垂直な面１１Ａには、照明装置６４−１および照明装置６４−２が配置されている。また、面１１Ａのほぼ中央には、ユーザを撮影するためのカメラ６１が設けられている。照明装置６４−１および照明装置６４−２（以下、個々に区別する必要が無い場合、照明装置６４と称する）は、通常時にはユーザを照らす照明として機能すると共に、撮影時にはフラッシュとしても機能する。
【００３０】
筐体１１の面１１Ｂには、例えば、ＣＲＴ(Cathode Ray Tube)やＬＣＤ(Liquid Crystal Display)などよりなる撮影編集用モニタ６２が設置されている。撮影編集用モニタ６２には、透明なタッチパネル１５２(図４を参照して後述する)が積層されている。撮影編集用モニタ６２は、撮影の案内、カメラ６１により撮影された被写体の画像、および、編集操作の案内などを表示する。
【００３１】
ユーザは、表示される各種の選択要求に対して、タッチペン６３−１およびタッチペン６３−２（以下、個々に区別する必要が無い場合、タッチペン６３と称する）で撮影編集用モニタ６２を軽く触れることにより、各種の指示を入力することができる。また、ユーザは、撮影編集用モニタ６２に表示される画像に対して、タッチペン６３で撮影編集用モニタ６２の表面に触れることにより落書きなどを行うことができる。このように使用されるタッチペン６３は、使用時以外のときは面１１Ｂに形成される差込口（図示せず）に差し込まれる。
【００３２】
筐体１１の面１１Ｃには、コインの投入を受け付けるコイン投入口３１が設けられている。
【００３３】
筐体１１の側面１１Ｄには、シール取り出し口３２および残時間表示モニタ３３が設置されている。シール取り出し口３２は、編集済みの画像が印刷されたシール紙を排出し、ユーザに提供する。残時間表示モニタ３３は、ＣＲＴやＬＣＤなどより構成され、主に、ゲーム（撮影および編集）を待っているユーザ（まだコインを投入していないユーザ）が、撮影編集空間１５に入場可能となるまでの最大待ち時間を表示する。
【００３４】
残時間表示モニタ３３は、例えば図２に示されるような画面を表示する。図２において、残時間表示モニタ３３には、「あと８８秒待ってね！！」というコメント９１と「混雑時、早退優遇モード実施中！！」というコメント９２が表示されている。
【００３５】
コメント９１の「８８」はデジタル表示とされており、１秒毎に表示が切り替えられる。この最大待ち時間は、例えば、そのとき撮影編集空間１５で撮影と編集を行っているユーザに与えられているゲームの残時間（前のユーザに与えられている撮影残時間と編集残時間を加算した時間、すなわち、前のユーザが撮影編集空間１５から退出するまでの時間）である。また、図２の例の場合、混雑しているため早退優遇モードが実施されていることがコメント９２により表されている。早退優遇モードの詳細については後述する。
【００３６】
残時間表示モニタ３３は、図２の例の他、図３に示されるような画面を表示するようにしてもよい。図３においては、残時間表示モニタ３３に、最大待ち時間（前のユーザが撮影編集空間１５から退出するまでの時間）を示すインジゲータ１０１とともに、「Ｂ子もびっくり  ホラーモード絶叫中（時短コース選択）」というコメント１０２が表示されている。
【００３７】
図３の例の場合、インジゲータ１０１は残時間が３０秒であることを示している（点線で示される「７５」秒、「６０」秒、「４５」秒は、その残時間を既に経過していることを示している）。このインジゲータ１０１は、通常、「７５秒→６０秒→４５秒→３０秒→１５秒」と遷移表示されるが、前のユーザがゲームのプレイ中（撮影および編集中）に、早期終了を行なった場合には、例えば「７５秒→１５秒」（７５秒から１５秒へと）スキップして表示が切り替えられる。なおこのとき、次のユーザの入場可能時間が近づいていることを強調するために、ブザーなどを設置して、残時間が１５秒未満になったらそれを鳴らすようにしてもよい。
【００３８】
コメント１０２は、前のユーザ（撮影編集空間１５で撮影および編集を行なっているユーザ）のゲームモードを示している。これにより、撮影編集空間１５の外で待っているユーザ（次に撮影および編集を行なうユーザ）に、ゲームモードを選択する際の参考としてもらうことができる。また、待っているユーザは、それにより暇つぶしをすることができる。
【００３９】
図４は、写真シール作成装置１の内部構成例を示すブロック図である。図中、図１と対応する部分には同一の符号を付してある。
【００４０】
写真シール作成装置１の制御装置１５０には、残時間表示モニタ３３、カメラ６１および照明装置６４の他、コイン投入部１５１、表示プロセッサ１５３、記憶装置１５５、プリンタ１５６、およびＩＤ（Identification）タグリーダ／ライタ１５７が接続されている。
【００４１】
制御装置１５０は、写真シール作成装置１の全体の動作を制御する。具体的には、制御装置１５０は、内部のＣＰＵ（Central Processing Unit）（図示せず）により、記憶装置１５５に記憶されているプログラム、または、記憶装置１５５から内部のメモリ（図示せず）にロードされたプログラムを実行し、写真シール作成装置１の全体の動作を制御する。制御装置１５０は、例えば、パーソナルコンピュータなどにより構成される。
【００４２】
コイン投入部１５１は、ユーザにより所定の代金がコイン投入口３１に投入されたとき、それを検出し、制御装置１５０に通知する。
【００４３】
カメラ６１は、ユーザ（被写体）を撮影するためのＣＣＤ（Charge Coupled Device）、ＣＭＯＳ（Complementary Metal-Oxide Semiconductor）等の小型のデジタルカメラである。カメラ６１が撮影している取り込み画像は、撮影編集用モニタ６２に表示される。以下、カメラ６１により撮影された画像を撮影画像と適宜称する。
【００４４】
照明装置６４は、制御装置１５０からの指示に基づいて、カメラ６１により撮影が行われるタイミングに合わせてフラッシュ光を出射する。
【００４５】
残時間表示モニタ３３は、制御装置１５０からの制御に基づいて各種の画像を表示する。具体的には、残時間表示モニタ３３には、上述した図２または図３に示されるような、前のユーザのゲーム残時間を示すような画像が表示される。
【００４６】
表示プロセッサ１５３には、タッチパネル１５２および撮影編集用モニタ６２が接続される。表示プロセッサ１５３は、タッチペン６３を用いて行われるタッチパネル１５２に対する入力を取得するとともに、その入力等に応じて撮影編集用モニタ６２の表示を制御する。
【００４７】
表示プロセッサ１５３は、内部にカメラ６１の撮影画像を記憶するためのフレームバッファを有する。フレームバッファは、デュアルポートメモリにより構成され、それぞれの領域が１枚分の撮影画像を記憶できる２つの領域に分けて使用される。２つの領域のうちの第１の領域には、カメラ６１からの取り込み画像が入力され、撮影後は、撮影した画像（ユーザがフレーム画像を選択した場合には、撮影画像とフレーム画像）が記憶される。
【００４８】
一方、第２の領域は、落書き等を行なう編集処理において使用される記憶領域であり、撮影が終了した時点では、第１の領域と同一の撮影画像が記憶される。すなわち、編集処理において、ユーザがタッチペン６３を利用して落書きを入力すると、その入力データは、第２の領域内に書き込まれる。
【００４９】
なお、ユーザは、消しゴム処理を指定することにより、１度加えた落書きを消去し、元の画像に戻すことができる。その場合、表示プロセッサ１５３は、消しゴムで指定された部分の画像データを第１の領域から読み出し、第２の領域に書き込むことにより、ユーザが消しゴムで指定した部分を落書きを行う前の撮影画像に戻す。
【００５０】
撮影編集用モニタ６２には、表示プロセッサ１５３のフレームバッファの第２の領域に記憶されたデータが表示される。従って、ユーザが編集処理を実行している最中は、落書きが施された撮影画像が撮影編集用モニタ６２に表示される。
【００５１】
撮影編集用モニタ６２には、透明なタッチパネル１５２が積層されている。タッチパネル１５２はタッチペン６３からの入力を検出する。すなわち、ユーザは、撮影編集用モニタ６２に表示された選択ボタンをタッチペン６３を用いて選択したり、撮影編集用モニタ６２に表示された撮影画像に対して、その上に落書きなどを行なう。タッチペン６３による入力データは、タッチパネル１５２により検出され、入力データとして表示プロセッサ１５３のフレームバッファの第２の領域に書き込まれる。
【００５２】
記憶装置１５５は、写真シール作成装置１における設定情報を記憶したり、記憶している設定情報の読み出しを行う。例えば、記憶装置１５５は、シールを印刷するときの枚数の種類等に関する設定情報を記憶する。
【００５３】
記憶装置１５５には、ドライブ２００も接続される。ドライブ２００には、磁気ディスク（フロッピー(登録商標)ディスクを含む）、光ディスク（ＣＤ−ＲＯＭ(Compact Disk-Read Only Memory),ＤＶＤ(Digital Versatile Disk)を含む）、光磁気ディスク（ＭＤ（Mini-Disk）を含む）、および、半導体メモリなどのリムーバブルメディア２０１が適宜装着され、それから読み出されたコンピュータプログラムが必要に応じて記憶装置１５５にインストールされる。
【００５４】
シール紙ユニット１５８には、その所定の位置にＩＤタグ１５９が貼り付けられるとともに、その中にはシール紙１６０が収納される。プリンタ１５６は、シール紙ユニット１５８から１枚のシール紙１６０を引き込み、そこに、複数のシールが所定の位置、および大きさに配置されるように編集済みの（落書きがなされた）画像を印刷する。ユーザは、１枚のシール紙１６０上に数種類の画像を選択して印刷させることができる。プリンタ１５６により画像が印刷されたシール紙１６０は、シール取り出し口３２に排出され、ユーザに提供される。
【００５５】
ＩＤタグリーダ／ライタ１５７は、シール紙ユニット１５８のＩＤタグ１５９に記憶されている識別情報を接触または非接触により読み出し、制御装置１５０に出力する。制御装置１５０は、ＩＤタグリーダ／ライタ１５７から供給された識別情報に基づいて、装着されているシール紙ユニット１５８が、写真シール作成装置１において利用可能なユニットであるか否かを判定し、利用可能なユニットであると判定したときのみ、プリンタ１５６を動作可能にする。すなわち、制御装置１５０により、写真シール作成装置１において利用可能とされるシール紙ユニットの識別情報が管理されている。
【００５６】
これにより、写真シール作成装置１に対応していない（純正のものでない）シール紙が利用されるのを抑制することができる。また、ＩＤタグ１５９によりシール紙１６０の残量等も管理される。なお、シール紙ユニット１５８が純正のものであるか否かを、シール紙ユニット１５８にプリントされているバーコードにより確認させるようにしてもよいし、あるいは、シール紙ユニットの寸法、形状などにより、機械的に装填不可とすることで確認させるようにしてもよい。
【００５７】
シール紙ユニット１５８に付されているＩＤタグ１５９には、個々のシール紙ユニット１５８を識別する識別情報等を管理するＩＤが書き込まれている。なお、ＩＤタグ１５９をシール紙１６０と一体にし、分離不可とするようにしてもよい。
【００５８】
次に、図５のフローチャートを参照して、写真シール作成装置１の写真シール作成処理について説明する。
【００５９】
ステップＳ１において、制御装置１５０は混雑度判定処理を実行する。具体的には、制御装置１５０は、いずれのユーザにもゲームが行われていない時間の平均である平均アイドル時間に基づいて混雑度を判定し、写真シール作成装置１のモードとして通常モードまたは早退優遇モードを設定する。なお、混雑度判定処理の詳細は図８を参照して後述する。
【００６０】
ステップＳ２において、撮影編集用モニタ６２は、表示プロセッサ１５３を介して行われる制御装置１５０からの制御に基づいてデモ画面を表示する。例えば、図６または図７に示されるようなデモ画面が表示される。
【００６１】
図６は、ステップＳ１の混雑度判定処理で通常モードが設定された場合のデモ画面の例である。撮影編集用モニタ６２には、ゲームに必要なコインの枚数やゲームの開始を促す画像等よりなるデモ画像２５０と、設定されているモードや早退優遇モードが設定されるための条件の説明を含むサブ画像２５１が表示される。
【００６２】
図６の例の場合、サブ画像２５１は、「通常モード」が設定されていること、並びに、通常モードが設定されている場合には、「キラキラ加刷」、「画像配信」および「クーポン券」のいずれの特典も受けることができないことを示している（点線で囲われる特典は、その特典を受けることができないことを表し、後述するように、実線で囲われる特典は、その特典を受けることができることを表している）。
【００６３】
なお「特典」については後述する。また、サブ画像２５１は、「３グループ続けてプレイすると、「早退優遇モード」になるよ」といった早退優遇モードが設定される条件を示している。
【００６４】
図７は、ステップＳ１の混雑度判定処理で早退優遇モードが設定された場合のデモ画面の例である。撮影編集用モニタ６２には、ゲームに必要なコインの枚数やゲームの開始を促す画像等よりなるデモ画像２６０と、設定されているモードや早退優遇モードが設定されるための条件の説明を含むサブ画像２６１が表示される。
【００６５】
図７の例の場合、サブ画像２６１は、「早退優遇モード」が設定されていること、並びに「キラキラ加刷」の特典を受けることはできないが、「画像配信」と「クーポン券」の特典のうち、いずれか一方の特典を受けることができることを示している。また、サブ画像２６１は「チャンス！  ６０秒以内にコインを入れると「早退優遇モード」になるよ！」といった早退優遇モードが設定される条件を示している。
【００６６】
ユーザはこのようなデモ画面を見ることにより、設定されているモードやそのときの状態を知ることができる。なお、実際には早退優遇モードに対応するサブ画像（図７の例の場合、サブ画像２６１）の表示は時間とともに変化する。この詳細は図９を参照して後述する。
【００６７】
図５の説明に戻り、ステップＳ３において制御装置１５０は、コイン投入部１５１からの出力に基づいて、コイン投入口３１にコイン（所定の代金）が投入されたか否かを判定し、コイン（所定の代金）がコイン投入口３１に投入されていないと判定した場合、ステップＳ１に戻り、それ以降の処理を繰り返し実行する。
【００６８】
一方、ステップＳ３においてコイン（所定の代金）が投入されたと判定した場合、制御装置１５０は、ステップＳ４に進み、図１０および図１１を用いて後述する撮影処理を実行する。
【００６９】
撮影処理を終了させた後、ステップＳ５において、制御装置１５０は、図１５を用いて後述する編集処理を実行する。
【００７０】
編集処理を終了させた後、ステップＳ６において、制御装置１５０は、図１８および図１９を用いて後述する分割選択および印刷処理を実行し、その後、一連の処理を終了させる。
【００７１】
なお図５のフローチャートでは、ステップＳ６の処理の後、処理が終了されるように記載したが、ステップＳ６の処理の後、ステップＳ１に再び戻り、同様の処理が繰り返されるようにしてもよい。
【００７２】
次に、図８のフローチャートを参照して、図５のステップＳ１において実行される混雑度判定処理について説明する。なお、図８の処理では、判定に使用される基準時間Ｔａ，Ｔｂ，Ｔｃ，Ｔｄの長さの関係は、Ｔａ＞Ｔｄ＞Ｔｃ＞Ｔｂであり、制御装置１５０に予め設定されている。
【００７３】
ステップＳ５１において、制御装置１５０は平均アイドル時間を算出する。具体的には、今回のユーザがコインを投入した時刻Ｔ２（図５のステップＳ３）から前のユーザが撮影編集空間１５を退出した時刻（前回の図５のステップＳ６の処理が終了した時刻）Ｔ１を減算した時間（Ｔ２−Ｔ１）がアイドル時間とされる。制御装置１５０は、このアイドル時間（Ｔ２−Ｔ１）をゲーム処理毎に算出し、過去２回（最近の過去２回）のアイドル時間の和に現在時刻Ｔ２´からＴ１を減算した時間を足して、３で割算したものを、平均アイドル時間Ｔｍとして算出する。
【００７４】
ステップＳ５２において、制御装置１５０は、平均アイドル時間が基準時間Ｔａ以上であるか否かを判定する。例えば基準時間Ｔａを１００秒とすると、制御装置１５０は、平均アイドル時間Ｔｍが１００秒以上であるか否かを判定する。ステップＳ５２において、平均アイドル時間Ｔｍが基準時間Ｔａ以上（例えば１００秒以上）であると判定した場合、ステップＳ５３において制御装置１５０は、通常モードを設定する。
【００７５】
一方、ステップＳ５２において、平均アイドル時間Ｔｍが基準時間Ｔａ以上ではない、すなわち平均アイドル時間Ｔｍが基準時間Ｔａより短いと判定した場合、ステップＳ５４において制御装置１５０は、早退優遇モードを設定する。
【００７６】
このように、いずれのユーザにも利用されていない時間が比較的短い場合、撮影や編集を早く終了させたユーザが優遇され、所定の特典が利用可能とされる早退優遇モードが設定される。
【００７７】
ステップＳ５５において、制御装置１５０は、平均アイドル時間Ｔｍが基準時間Ｔｂ未満であるか否かを判定する。例えば基準時間Ｔｂを７０秒とすると、制御装置１５０は、平均アイドル時間Ｔｍが７０秒未満であるか否かを判定する。ステップＳ５５において、平均アイドル時間Ｔｍが基準時間Ｔｂ未満であると判定した場合、ステップＳ５６において制御装置１５０は、特典３−１を設定する。この特典の詳細は後述する。
【００７８】
ステップＳ５５において、平均アイドル時間Ｔｍが基準時間Ｔｂ未満ではない、すなわち平均アイドル時間Ｔｍが基準時間Ｔｂ以上であると判定した場合、ステップＳ５７において制御装置１５０は、平均アイドル時間Ｔｍが基準時間Ｔｃ未満であるか否かを判定する。例えば、基準時間Ｔｃを８０秒とすると、制御装置１５０は、平均アイドル時間Ｔｍが８０秒未満であるか否かを判定する。
【００７９】
この処理は、ステップＳ５５においてＮＯと判定された後に実行されるので、ここでは、実際には平均アイドル時間Ｔｍが基準時間Ｔｂ（７０秒）以上、かつ、基準時間Ｔｃ（８０秒）未満であるか否かが判定される。ステップＳ５７において、平均アイドル時間Ｔｍが基準時間Ｔｃ未満であると判定した場合、ステップＳ５８において制御装置１５０は、特典３−２を設定する。この特典の詳細は後述する。
【００８０】
ステップＳ５７において、平均アイドル時間Ｔｍが基準時間Ｔｃ未満ではない、すなわち平均アイドル時間Ｔｍが基準時間Ｔｃ以上であると判定した場合、ステップＳ５９において制御装置１５０は、平均アイドル時間Ｔｍが基準時間Ｔｄ未満であるか否かを判定する。例えば、基準時間Ｔｄを９０秒とすると、制御装置１５０は、平均アイドル時間Ｔｍが９０秒未満であるか否かを判定する。
【００８１】
この処理は、ステップＳ５７においてＮＯと判定された後に実行されるので、ここでは、実際には、平均アイドル時間Ｔｍが基準時間Ｔｃ（８０秒）以上、かつ、基準時間Ｔｄ（９０秒）未満であるか否かが判定される。ステップＳ５９において、平均アイドル時間Ｔｍが基準時間Ｔｄ未満であると判定した場合、ステップＳ６０において制御装置１５０は、特典２を設定する。この特典の詳細は後述する。
【００８２】
一方、ステップＳ５９において、平均アイドル時間Ｔｍが基準時間Ｔｄ未満ではない、すなわち平均アイドル時間Ｔｍが基準時間Ｔｄ以上であると判定した場合、ステップＳ６１において制御装置１５０は、特典１を設定する。この特典の詳細は後述する。
【００８３】
ステップＳ５３の処理の後、ステップＳ５６の処理の後、ステップＳ５８の処理の後、ステップＳ６０の処理の後、およびステップＳ６１の処理の後、処理は図５のステップＳ２に進む。
【００８４】
図８の処理により、平均アイドル時間により求められる混雑度に基づいて、通常モードと早退優遇モードのうちのいずれか一方が設定される。また、早退優遇モードが設定された場合には、平均アイドル時間に基づいて利用可能な特典の種類がさらに設定される。
【００８５】
利用可能な特典の種類が設定されることに対応して、図５のステップＳ２で表示されるデモ画面（デモ画面のサブ画像）の例を図６、図７、および図９を参照して説明する。
【００８６】
例えば、図５のステップＳ１（図８のステップＳ５３）で通常モードが設定された場合、図５のステップＳ２では、上述した図６に示されるようなデモ画面が表示される。
【００８７】
また、例えば、図５のステップＳ１（図８のステップＳ５４およびステップＳ６０）で早退優遇モードが設定されるとともに、利用可能な特典として特典２が設定された場合、図５のステップＳ２では、上述した図７に示されるようなデモ画面が表示される。
【００８８】
さらに、例えば、図５のステップＳ１（図８のステップＳ５４およびステップＳ５６）で早退優遇モードが設定されるとともに、利用可能な特典として特典３−１が設定された場合、図５のステップＳ２では、上述した図７に示されるサブ画像２６１が、図９Ａに示されるサブ画像３０１に置き換えられたデモ画面が表示される。
【００８９】
図９Ａの例の場合、サブ画像３０１は、「早退優遇モード」が設定されていること、並びに「キラキラ加刷」、「画像配信」および「クーポン券」のうち、いずれか１つの特典を受けることができることを示している。またサブ画像３０１は、「現在、「早退優遇モード」実施中！！」のコメントにより早退優遇モードの実施中であることを示している。
【００９０】
また、例えば、図５のステップＳ１（図８のステップＳ５４およびステップＳ５８）で早退優遇モードが設定されるとともに、利用可能な特典として特典３−２が設定された場合、図５のステップＳ２では、上述した図７に示されるサブ画像２６１が、図９Ｂに示されるサブ画像３１１に置き換えられたデモ画面が表示される。
【００９１】
図９Ｂの例の場合、サブ画像３１１は、「早退優遇モード」が設定されていること、並びに「キラキラ加刷」、「画像配信」および「クーポン券」のうち、いずれか１つの特典をユーザが受けることができることを示している（この点は、特典３−１と同様である）。また、サブ画像３１１は、「チャンス！  ９０秒以内にコインを入れると「早退優遇モード」になるよ！」のコメントにより、早退優遇モードが設定される条件を示している。すなわち、図９Ａと図９Ｂでは、ユーザが受けることができる特典は同じ（３つのうちのいずれか）であるが、早退優遇モードに関するコメントの内容が異なっている。図９Ａのデモ画面が表示されるタイミングより時間が経過したタイミングで表示される図９Ｂのデモ画面は、よりユーザに早退優遇モードでのゲームを促す説明を表示している。
【００９２】
さらに、例えば、図５のステップＳ１（図８のステップＳ５４およびステップＳ６１）で早退優遇モードが設定されるとともに、利用可能な特典として特典１が設定された場合、図５のステップＳ２では、上述した図７に示されるサブ画像２６１が、図９Ｃに示されるサブ画像３２１に置き換えられたデモ画面が表示される。
【００９３】
図９Ｃの例の場合、サブ画像３２１は、「早退優遇モード」が設定されていること、並びに「キラキラ加刷」および「画像配信」の特典を受けることはできないが、「クーポン券」の特典を受けることができることを示している。またサブ画像３２１は、「チャンス！  ３０秒以内にコインを入れると「早退優遇モード」になるよ！」といった早退優遇モードが設定される条件を示している。
【００９４】
ユーザは、このようなデモ画面を見ることにより、設定されているモードやそのときの状態を知ることができる。画像プリント作成装置１においては、このようなデモ画面を表示することによって、ゲームに特典があることをユーザにアピールすることができる。
【００９５】
図５のステップＳ２において表示されるデモ画面の切り替えについて具体的に説明すると、以下の通りとなる。
【００９６】
例えば、写真シール作成装置１を、複数のユーザからなるグループＡが利用した後、１００秒間のアイドル時間をあけて、次にグループＢが利用し、グループＢが利用した後、さらに１００秒間のアイドル時間をあけて、最後にグループＣが利用し、グループＣによるゲームが終了した場合について説明する。
【００９７】
グループＣによりゲーム（例えば、図５のステップＳ６の処理）が終了したタイミング（グループＣのゲーム終了からの経過時間０秒）では、平均アイドル時間Ｔｍは（１００秒＋１００秒＋０秒）／３＝６６．６７秒である。この場合、上述した例においては（基準時間Ｔａを１００秒、基準時間Ｔｂを７０秒とした場合においては）、図８のステップＳ５４で早退優遇モードが設定されるとともに、ステップＳ５６で利用可能な特典として特典３−１が設定される。また、図５のステップＳ２では、図９Ａに示されるサブ画像３０１がデモ画面に表示される。
【００９８】
グループＣによるゲーム（例えば、図５のステップＳ６の処理）終了後、１０秒経過したタイミング（グループＣのゲーム終了からの経過時間１０秒）では、平均アイドル時間Ｔｍは（１００秒＋１００秒＋１０秒）／３＝７０秒である。この場合、上述した例においては（基準時間Ｔａを１００秒、基準時間Ｔｂを７０秒、基準時間Ｔｃを８０秒とした場合においては）、図８のステップＳ５４で早退優遇モードが設定されるとともに、ステップＳ５８で利用可能な特典として特典３−２が設定される。また、図５のステップＳ２では、図９Ｂに示されるサブ画像３１１がデモ画面に表示される。
【００９９】
グループＣによるゲーム（例えば、図５のステップＳ６の処理）終了後、４０秒経過したタイミング（グループＣのゲーム終了からの経過時間４０秒）では、平均アイドル時間Ｔｍは（１００秒＋１００秒＋４０秒）／３＝８０秒である。この場合、上述した例においては（基準時間Ｔａを１００秒、基準時間Ｔｂを７０秒、基準時間Ｔｃを８０秒、基準時間Ｔｄを９０秒とした場合においては）、図８のステップＳ５４で早退優遇モードが設定されるとともに、ステップＳ６０で利用可能な特典として特典２が設定される。また、図５のステップＳ２では、図７のサブ画像２６１がデモ画面に表示される。
【０１００】
グループＣによるゲーム（例えば、図５のステップＳ６の処理）終了後、７０秒経過したタイミング（グループＣのゲーム終了からの経過時間７０秒）では、平均アイドル時間Ｔｍは（１００秒＋１００秒＋７０秒）／３＝９０秒である。この場合、上述した例においては（基準時間Ｔａを１００秒、基準時間Ｔｂを７０秒、基準時間Ｔｃを８０秒、基準時間Ｔｄを９０秒とした場合においては）、図８のステップＳ５４で早退優遇モードが設定されるとともに、ステップＳ６１で利用可能な特典として特典１が設定される。また図５のステップＳ２では、図９Ｃに示されるサブ画像３２１がデモ画面に表示される。さらに、３０秒以内となった場合、ブザーを鳴らして注意を引くよう(コイン投入を勧誘するよう)にしても良い。
【０１０１】
このように、平均アイドル時間によってデモ画面の表示を遷移させることで、ユーザの注目を集めることができる。また、特典の有無をアピールすることができる。
【０１０２】
次に、図１０および図１１のフローチャートを参照して、図５のステップＳ４において実行される撮影処理について説明する。
【０１０３】
ステップＳ１０１において、制御装置１５０は、設定されているモードが早退優遇モードであるか否かを判定する。具体的には、上述した図８のステップＳ５２において、平均アイドル時間Ｔｍが基準時間Ｔａ以上であると判定された場合には、通常モード（ステップＳ５３）が設定されており、一方、平均アイドル時間Ｔｍが基準時間Ｔａ以上でないと判定された場合には、早退優遇モード（ステップＳ５４）が設定されているので、制御装置１５０は、これに基づいて、設定されているモードが早退優遇モードであるか否かを判定する。なお、図５のステップＳ３でコインが投入されていないと判定され、ステップＳ１の処理が繰り返し実行されていた場合には、最新のステップＳ１の混雑度判定処理による判定結果が用いられる。
【０１０４】
ステップＳ１０１において早退優遇モードでないと判定された場合、ステップＳ１０２において撮影編集用モニタ６２は、表示プロセッサ１５３を介して行われる制御装置１５０からの制御に基づいて、通常コースのみをユーザが選択することができる撮影コース選択画面を表示する。例えば、図１２に示されるような撮影コース選択画面が表示される。
【０１０５】
図１２の例の場合、撮影編集用モニタ６２には、「撮影モードを選択してね！」のコメントとともに、通常コースの選択ツール３６０が表示されている。通常コースの選択ツール３６０は、「連写撮影モード」と記載されたツール３６１、「ホラーモード」と記載されたツール３６２および「単写撮影モード」と記載されたツール３６３により構成されている。各モードのツールの右枠には、各モードについて説明するコメントが表示されている。
【０１０６】
具体的には、「連写撮影モード」と記載されたツール３６１の右枠には「連続して３枚ずつ２回撮影できるよ！」といった連写撮影モードについて説明するコメント３６４が表示され、「ホラーモード」と記載されたツール３６２の右枠には「ホラーモードで撮影できるよ！」といったホラーモードについて説明するコメント３６５が表示され、「単写モード」と記載されたツール３６３の右枠には「１枚ずつ６枚撮影できるよ！」といった単写モードについて説明するコメント３６６が表示されている。
【０１０７】
ユーザは、このコメント３６４乃至３６６を参照して、ツール３６１乃至３６３（通常コースの選択ツール３６０）の中から、所望のツールをタッチペン６３を用いて選択する。制御装置１５０は、タッチパネル１５２および表示プロセッサ１５３を介して、ユーザによるコースの選択を受け付ける。
【０１０８】
ステップＳ１０３において、制御装置１５０は、撮影制限時間を３分、編集制限時間を３分に設定し、ステップＳ１０４において、早退申出時間を０分とする。
【０１０９】
一方、ステップＳ１０１において早退優遇モードであると判定された場合、ステップＳ１０５において撮影編集用モニタ６２は、制御装置１５０による制御に基づいて、通常コースと時短コースの中から撮影コースを選択することができる撮影コース選択画面を表示する。例えば、図１３に示されるような撮影コース選択画面が表示される。
【０１１０】
図１３の例の場合、撮影編集用モニタ６２には、「撮影モードを選択してね！」というコメントとともに、通常コースの選択ツール３６０および時短コースの選択ツール３９０が表示されている。通常コースの選択ツール３６０については、図１２と同様であるので、その説明は省略する。
【０１１１】
時短コースの選択ツール３９０は、「連写撮影モード」と記載されたツール３９１および「ホラーモード」と記載されたツール３９２により構成されている。各モードのツールの右枠には、各モードについて説明するコメントが表示されている。具体的には、「連写撮影モード」と記載されたツール３９１の右枠には「連続して２枚ずつ２回撮影できるよ！」といった連写撮影モードについて説明するコメント３９３が表示されており、「ホラーモード」と記載されたツール３９２の右枠には「ホラーモードで撮影できるよ！」といったホラーモードについて説明するコメント３９４が表示されている。
【０１１２】
ユーザは、これらのコメント３６４乃至３６６、コメント３９３、コメント３９４を参照して、ツール３６１乃至ツール３６３（通常コースの選択ツール３６０）、並びにツール３９１およびツール３９２（時短コースの選択ツール３９０）の中から、所望のツールをタッチペン６３を用いて選択する。制御装置１５０は、ユーザからのコースの選択を受け付ける。
【０１１３】
ステップＳ１０６において、制御装置１５０は、ユーザにより時短コースが選択されたか否かを判定する。具体的には、図１３のツール３９１またはツール３９２のいずれか一方が選択されたか否かを判定する。ステップＳ１０６において、ユーザにより時短コースが選択されていない、すなわちユーザにより通常コース（ツール３６１乃至ツール３６３のうちいずれか１つ）が選択されたと判定された場合、処理はステップＳ１０３に進む。
【０１１４】
ステップＳ１０６において、ユーザにより時短コースが選択されたと判定した場合、ステップＳ１０７において制御装置１５０は、撮影制限時間を２分、編集制限時間を２分に設定する。時短コースの場合、通常コースが選択された場合の制限時間と較べて、撮影制限時間、編集制限時間ともに短くなっている。また、制御装置１５０は、ステップＳ１０８において、早退申出時間を２分とする。後述するように、早退申出時間の長短に応じて、ユーザに提供される特典が異なるものになる。
【０１１５】
ステップＳ１０４の処理の後、またはステップＳ１０８の処理の後、ステップＳ１０９において、制御装置１５０は、撮影処理の実行時間（図１０の撮影処理開始からの時間である撮影処理時間）が撮影制限時間を超えたか否かを判定する。ステップＳ１０９の処理がステップＳ１０４の処理の後に行われる場合、撮影制限時間は３分とされ、一方、ステップＳ１０９の処理がステップＳ１０８の処理の後に行われる場合、撮影制限時間は２分とされているので、制御装置１５０は、それぞれの撮影制限時間に基づいて、これを判定する。
【０１１６】
ステップＳ１０９において、撮影処理時間が撮影制限時間を超えていないと判定された場合、ステップＳ１１０においてカメラ６１は、制御装置１５０からの制御に基づいてユーザ（被写体）を撮影する。このとき、撮影編集用モニタ６２には、例えば図１４に示されるような撮影画面が表示される。図１４は、撮影制限時間が２分であり、撮影処理時間が既に９０秒経過していると仮定した場合の撮影画面の例である。
【０１１７】
図１４の例の場合、撮影編集用モニタ６２には、カメラ６１による取り込み画像である取り込み画像４２１、「ＯＫ」と記載されたアイコン４２２、「やりなおし」と記載されたアイコン４２３、「撮影終了」と記載されたアイコン４２４、早退優遇インジケータ４３１、および「残り３０秒」と記載された撮影残り時間を示すコメント４３２が表示されている。早退優遇インジケータ４３１によって、現時点で撮影を終了すると、早退申出時間が「１５０秒（ステップＳ１０８で設定された早退申出時間２分に、撮影処理の残り時間（制限時間から撮影処理時間を減算した残余時間）である３０秒を加算した時間）」となり、その早退申出時間では、「キラキラ加刷」の優遇を受けることはできないが、「画像配信」と「クーポン券」のうち、いずれか一方の優遇を受けることができることが示されている。
【０１１８】
撮影を早いタイミングで終了させることにより、撮影処理に設定されている制限時間の残り時間（残余時間）を示すコメント４３２が早退申出時間に加算され、加算結果の時間が長いほど、より程度の高い特典を利用することが可能とされるため、結果として、この早退優遇インジケータ４３１の表示は、撮影処理を早く終了させることをユーザに促している（提案している）。
【０１１９】
ユーザは、アイコン４２２を選択する（タッチペン６３を利用して選択する）ことにより撮影を行なうことができ、アイコン４２３を選択することにより撮影をやりなおすことができる。また、ユーザは、アイコン４２４を選択することにより撮影を終了させることができる。図１４の状態で撮影処理を終了させた場合、ユーザは、後の分割数選択および印刷処理（図５のステップＳ６）において、早退優遇インジケータ４３１に表示されている特典、すなわち「画像配信」と「クーポン券」のうちいずれか一方の特典を選択することができる。
【０１２０】
なお図１４の例では、ユーザが「ＯＫ」と記載されたアイコン４２２を選択することで撮影が行なわれるとしたが、撮影処理時間が撮影制限時間に近づいているとき等には、強制的に撮影が行なわれるようにしてもよい。もちろん、毎回強制的に所定のタイミングで撮影が行われるようにしてもよい。
【０１２１】
図１１の説明に戻り、ステップＳ１１１において制御装置１５０は、ユーザにより撮影終了（図１４のアイコン４２４）がタッチペン６３により選択されたか否かを判定する。ステップＳ１１１において、ユーザにより撮影終了が選択されていないと判定された場合、ステップＳ１０９に戻り、それ以降の処理が繰り返される。
【０１２２】
ステップＳ１１１において撮影終了が選択されたと判定した場合、ステップＳ１１２において制御装置１５０は、早退優遇モードであるか否かを判定する。この処理は上述した図１０のステップＳ１０１の判定と同様である。すなわち、図８の混雑度判定処理の結果に基づいて判定される。
【０１２３】
ステップＳ１１２において早退優遇モードであると判定した場合、ステップＳ１１３において制御装置１５０は、早退申出時間に、撮影の終了が選択された時点の残りの撮影制限時間である撮影残時間（残余時間）を加算する。具体的には、ステップＳ１１３の処理がステップＳ１０８の処理を経て行なわれる場合、早退申出時間の２分に撮影残時間が加算され、ステップＳ１１３の処理がステップＳ１０４の処理を経て行なわれる場合、早退申出時間の０分に撮影残時間が加算される。その後、処理は図５のステップＳ５に進む。
【０１２４】
また、ステップＳ１１２において早退優遇モードでないと判定された場合、またはステップＳ１０９において撮影処理時間が撮影制限時間を超えたと判定された場合も、処理は図５のステップＳ５に進む。
【０１２５】
次に、図１５のフローチャートを参照して、図５のステップＳ５において実行される編集処理について説明する。
【０１２６】
ステップＳ１５１において制御装置１５０は、早退優遇モードであるか否かを判定する。ここでの判定結果は、上述した図１０のステップＳ１０１の判定結果と同一となる。
【０１２７】
ステップＳ１５１において早退優遇モードでないと判定した場合、ステップＳ１５２において制御装置１５０は、編集処理の実行時間（図１５の編集処理開始からの時間である編集処理時間）が編集制限時間を超えたか否かを判定する。編集制限時間は上述した図１０のステップＳ１０３またはステップＳ１０７で設定されているので、制御装置１５０は、そこで設定されている編集制限時間に基づいて、編集処理時間が編集制限時間を超えたか否かを判定する。
【０１２８】
ステップＳ１５２において、編集処理時間が編集制限時間を超えていないと判定した場合、ステップＳ１５３において制御装置１５０は、通常コンテンツメニューの編集処理を実行する。この通常コンテンツメニューの編集処理においては、ユーザは、後述する特典コンテンツメニューの編集処理の場合とは異なり、特殊なコンテンツ（編集ツール）を利用することはできない。ステップＳ１５３において、撮影編集用モニタ６２には図１６に示されるような編集画面が表示される。
【０１２９】
図１６の例の場合、撮影編集用モニタ６２には、編集対象の画像である撮影画像４６０、「ペン」と記載されたアイコン４６１、「背景ブラシ」と記載されたアイコン４６２、「スタンプ」と記載されたアイコン４６３、「名前スタンプ」と記載されたアイコン４６４、「ＯＫ」と記載されたアイコン４７１、「クリア」と記載されたアイコン４７２および「編集終了」と記載されたアイコン４８１が表示されている。
【０１３０】
ユーザは、これらのアイコン４６１乃至４６４をタッチペン６３を利用して選択し、撮影画像４６０に対して編集（落書き）を行なうことができる。具体的には、アイコン４６１が選択されると、「ペン」のツール（図示せず）が表示され、ユーザはこのペンツールを使って文字を書き込む等の編集を行なうことができる。また、アイコン４６２が選択されると、「背景ブラシ」のツール（図示せず）が表示され、ユーザはこの背景ブラシツールを使って背景を描き込む等の編集を行なうことができる。また、アイコン４６３が選択されると、「スタンプ」のツール（図示せず）が表示され、ユーザはこのスタンプツールを使ってスタンプを加える等の編集を行なうことができる。さらに、アイコン４６４が選択されると、「名前スタンプ」のツール（図示せず）が表示され、ユーザはこの名前スタンプツールを使って、名前スタンプを加える等の編集を行なうことができる。またユーザは、アイコン４７１を選択することにより撮影画像４６０の編集を終了し、他の撮影画像の編集を行なうことができ、アイコン４７２を選択することにより、直前に行なった落書きを消去することができる。また、ユーザは、アイコン４８１を選択することにより編集を終了することができる。
【０１３１】
なお、ステップＳ１５３の編集処理の前に、編集する画像を複数の撮影画像の中から所定の枚数（例えば、６枚の撮影画像の中から４枚）だけ選択するための選択処理が行なわれるようにしてもよい。
【０１３２】
ステップＳ１５４において、制御装置１５０は、ユーザにより編集終了（図１６のアイコン４８１）が選択されたか否かを判定する。ステップＳ１５４において、ユーザにより編集終了が選択されていないと判定された場合、処理はステップＳ１５２に戻り、それ以降の処理が繰り返される。
【０１３３】
一方、ステップＳ１５１において早退優遇モードであると判定した場合、ステップＳ１５５において制御装置１５０は、早退申出時間が１分以上であるか否かを判定する。この早退申出時間は、上述した図１０のステップＳ１０４、ステップＳ１０８、および図１１のステップＳ１１３の処理によって設定された時間である。ここで、早退申出時間が１分以上であるか否かの判定を行なっている理由について以下に説明する。
【０１３４】
上述した図１０のステップＳ１０６の処理で、時短コースが選択されなかった場合（通常コースが選択された場合）に、撮影制限時間と編集制限時間はそれぞれ３分ずつ、早退申出時間は０分とされる。その後、ユーザが撮影残余時間を１分以上（例えば、７０秒）残して撮影を終了した場合、図１１のステップＳ１１３の処理においては、早退申出時間に撮影残時間（例えば、７０秒）が加算される。そのため、図１５のステップＳ１５５において、早退申出時間が１分以上であるか否かを判定することで、早退申出時間によって編集処理のときに特典コンテンツメニューを提供するか否かを判定しているのである。
【０１３５】
ステップＳ１５５において早退申出時間が１分以上でないと判定された場合、処理はステップＳ１５２に進み、それ以降の処理が行われる。
【０１３６】
ステップＳ１５５において早退申出時間が１分以上であると判定した場合、ステップＳ１５６において制御装置１５０は、編集処理の実行時間（図１５の編集処理開始からの時間である編集処理時間）が編集制限時間を超えたか否かを判定する。編集制限時間は上述した図１０のステップＳ１０３またはステップＳ１０７で設定されているので、制御装置１５０は、そこで設定した編集制限時間に基づいて編集処理時間が編集制限時間を経過したか否かを判定する。
【０１３７】
ステップＳ１５６において、編集処理時間が編集制限時間を超えていないと判定した場合、ステップＳ１５７において制御装置１５０は、特別コンテンツメニューの編集処理を実行する。このとき、撮影編集用モニタ６２には図１７に示されるような編集画面が表示される。なお、図１７中、図１６と対応する部分については同一の符号を付してある。図１７は、撮影終了時点での早退申出時間が１５０秒（図１４）であって、現在の編集残時間（編集処理の残余時間）が２０秒になったと仮定した場合の編集画面例である。
【０１３８】
図１７の例の場合、撮影編集用モニタ６２には、撮影画像４６０、アイコン４６１乃至４６４、アイコン４７１、アイコン４７２、アイコン４８１の他に、早退優遇インジケータ４９１、「残り２０秒」と記載された編集の残り時間を示すコメント４９２、「金銀ペン」と記載されたアイコン５１１、「特殊文字」と記載されたアイコン５１２、「連続スタンプ」と記載されたアイコン５１３が表示されている。
【０１３９】
早退優遇インジケータ４９１には、現時点で編集を終了すると早退申出時間が「１７０秒」となることと、「キラキラ加刷」の特典を受けることはできないが、「画像配信」または「クーポン券」の特典を受けることができることが示されている。なお、「クーポン券」の特典内容は時間と共に変化するようにしても良い。
【０１４０】
編集を早いタイミングで終了させることにより、編集処理に設定されている制限時間の残り時間が早退申出時間に加算され、加算結果の時間が長いほど、より程度の高い特典を利用することが可能とされるため、結果として、この早退優遇インジケータ４９１の表示は、編集処理を早く終了させることをユーザに促している（提案している）。
【０１４１】
図１７においては、ユーザは、図１６の通常コンテンツメニューに表示される編集ツールに加えて、「金銀ペン」、「特殊文字」および「連続スタンプ」といった特典ツールを使用することができる。ユーザは、これらのアイコン４６１乃至４６４、アイコン５１１乃至５１３をタッチペン６３を利用して選択し、撮影画像４６０に対して編集を行なうことができる。またユーザは、アイコン４８１を選択することにより編集を終了させることができる。
【０１４２】
なお、ステップＳ１５７の編集処理の前に、編集する画像を複数の撮影画像の中から所定の枚数（例えば、６枚の撮影画像の中から４枚）だけ選択するための選択処理が行われるようにしてもよい。
【０１４３】
ステップＳ１５８において、制御装置１５０は、ユーザにより編集終了（図１７のアイコン４８１）が選択されたか否かを判定する。ステップＳ１５８において、ユーザにより編集終了が選択されていないと判定された場合、処理はステップＳ１５６に戻り、それ以降の処理が繰り返される。
【０１４４】
ステップＳ１５８において、編集終了が選択されたと判定した場合、ステップＳ１５９において、制御装置１５０は、早退申出時間に、編集終了が選択された時点の残りの編集制限時間である編集残時間を加算する。なお、早退申出時間は、上述したステップＳ１５５での判定に利用された早退申出時間、すなわち、図１０のステップＳ１０４、ステップＳ１０８、図１１のステップＳ１１３の処理によって設定された時間である。
【０１４５】
ステップＳ１５２またはステップＳ１５６において編集処理時間が編集制限時間を超えたと判定された後、ステップＳ１５４において編集終了が選択されたと判定された後、またはステップＳ１５９の処理の後、処理は図５のステップＳ６に進む。
【０１４６】
次に、図１８および図１９のフローチャートを参照して、図５のステップＳ６において実行される分割選択および印刷処理について説明する。
【０１４７】
ステップＳ２０１において制御装置１５０は、早退優遇モードであるか否かを判定する。ここでの判定結果は、図１０のステップＳ１０１および図１５のステップＳ１５１の判定結果と同一となる。
【０１４８】
ステップＳ２０１において早退優遇モードでないと判定した場合、制御装置１５０は、ステップＳ２０２に進み、ユーザによる、シール紙の分割数の選択を受け付ける。例えば、撮影編集用モニタ６２には、シール紙の分割パターン（４分割、８分割、１６分割等）が表示され、ユーザは、その画面から所望の分割数を選択する。
【０１４９】
ユーザにより分割数が選択されたとき、制御装置１５０は、ステップＳ２０３において、プリンタ１５６を制御し、ユーザにより選択された分割数に従って編集済みの画像をシール紙１６０に印刷させ、画像が印刷されたシール紙１６０をシール取り出し口３２に排出させる。すなわち、早退優遇モードが設定されていない場合、ユーザは、シール紙の表面に施される特殊なコーティングや、各種の割引クーポン券などの特典を受けることができない。
【０１５０】
一方、ステップＳ２０１において、早退優遇モードであると判定した場合、制御装置１５０は、ステップＳ２０４に進み、早退申出時間が３分以上であるか否かを判定する。ここで参照される早退申出時間は、撮影処理におけるステップＳ１０８（図１０）等や、編集処理におけるステップＳ１５９（図１５）で設定された時間である。
【０１５１】
ステップＳ２０４において、早退申出時間が３分以上ではないと判定した場合、制御装置１５０は、ステップＳ２０５に進み、次に、早退申出時間が２分以上であるか否かを判定する。また、ステップＳ２０５において、早退申出時間が２分以上ではないと判定した場合、制御装置１５０は、ステップＳ２０６に進み、次に、早退申出時間が１分以上であるか否かを判定する。このように、早退申出時間の長短に応じて、ユーザが受けることができる特典の内容がそれぞれ異なる。
【０１５２】
ステップＳ２０６において、制御装置１５０は、早退申出時間が１分以上ではないと判定した場合、ステップＳ２０２以降の処理を実行し、一方、１分以上（２分未満、１分以上）であると判定した場合、このユーザは、「キラキラ加刷」、「画像配信」、「クーポン券」の特典のうちの「クーポン券」のみを受けることができ、後述する、ステップＳ２０９以降の処理を行う。
【０１５３】
ステップＳ２０５において、早退申出時間が２分以上（３分未満、２分以上）であると判定した場合、制御装置１５０は、ステップＳ２０７に進み、図２０に示されるような特典選択画面を撮影編集用モニタ６２に表示させる。
【０１５４】
図２０の例においては、「特典をえらんでね！」のコメントの下に、「キラキラ加刷」の特典を受けるときに選択されるアイコン５１１、「画像配信」の特典を受けるときに選択されるアイコン５１２、および「クーポン券」の特典を受けるときに選択されるアイコン５１３が表示されている。ユーザは、アイコン５１１乃至５１３のいずれかを選択することで、所望する特典を受けることができる。
【０１５５】
ここで、「キラキラ加刷」とは、編集済みの画像が印刷されるシール紙１６０の表面に、見る角度によって輝きが異なる特殊なコーティングが施される特典をいい、「画像配信」とは、例えば、その特典を受けたユーザの携帯電話機に、編集済みの画像をメールに添付して配信する特典をいう。また、「クーポン券」とは、次回の写真シール作成装置１の利用時に、料金の割引を受けることができるクーポンや、所定の店舗で商品を購入する際に、その代金の割引を受けたりすることができるクーポンが発行される特典をいう。
【０１５６】
当然、特典の内容はこの３つに限られず、撮影時間や編集時間を短縮したユーザの満足度を得ることができるようなものであれば、どのようなものが特典として提供されるようにしてもよい。
【０１５７】
なお、「キラキラ加刷」の特典を受けるためには、例えば、早退申出時間が３分以上あることが条件とされ、「画像配信」の特典を受けるためには、例えば、早退申出時間が２分以上あることが条件とされる。また、「クーポン券」の特典を受けるためには、例えば、早退申出時間が１分以上あることが条件とされる。従って、早退申出時間が３分未満、２分以上である場合には、「画像配信」と「クーポン券」の中からのみ、ユーザが特典を選択することができるように特典選択画面が表示される。例えば、この場合「キラキラ加刷」の特典を受けるときに選択されるアイコン５１１が半透明に表示されるなど、選択不可能とされる。
【０１５８】
このように、特典の内容に段階を設け、より長い早退申出時間を確保しているユーザには、より程度の高い内容の特典（主観的なものではあるが、一般的に、よりユーザに好まれそうな特典）を選択することができるようにすることにより、撮影処理や編集処理を短い時間で終了させることを促すことができる。
【０１５９】
図２０に示されるような画面を表示した後、ステップＳ２０８において、制御装置１５０は、「クーポン券」の特典を受けることがユーザにより選択されたか否か、すなわち、図２０のアイコン５１３が操作されたか否かを判定する。
【０１６０】
ステップＳ２０８において、制御装置１５０は、「クーポン券」の特典を受けることがユーザにより選択されていないと判定した場合、このユーザが選択可能な「クーポン券」と「画像配信」のうちの「画像配信」の特典を受けることが選択されたと判定し、後述する、ステップＳ２１７以降の処理を行う。
【０１６１】
制御装置１５０は、ステップＳ２０８において、「クーポン券」の特典を受けることがユーザにより選択されたと判定した場合、ステップＳ２０９に進み、発行するクーポン券をユーザに選択させるクーポン券選択画面を撮影編集用モニタ６２に表示させる。
【０１６２】
図２１は、クーポン券選択画面の表示例を示す図である。画面の左上には「クーポン券選択モード」の文字が表示されている。
【０１６３】
図２１の例においては、「クーポン券をえらんでね！」のコメントの下に、それを利用することで、携帯電話機の着信音のデータ（いわゆる着メロ）をダウンロードすることができるサービス券、写真シール作成装置１を優待利用することができる優待券、クレーンゲームを無料で利用することができるプレイ券、ポテトフライのサービスを受けることができるサービス券の発行を受けるときに選択されるアイコン６１１乃至６１４が表示されている。
【０１６４】
また、アイコン６１４の下には、これらのクーポン券の中から、ランダムに選択されたクーポン券の発行を受けるときに選択されるアイコン６１５が表示されている。ユーザは、アイコン６１１乃至６１５のいずれかを選択することで、クーポン券の発行を受けることができる。
【０１６５】
図２１の画面から所定のアイコンが選択されたとき、制御装置１５０は、ステップＳ２１０において、ユーザにより選択されたクーポン券が発行されるように設定し、ステップＳ２１１に進み、シール紙１６０の分割数の選択を受け付ける。
【０１６６】
このとき、撮影編集用モニタ６２には、例えば、図２２に示されるような分割数選択画面が表示される。図２２の例においては、「分割サイズをえらんでね！」のコメントが表示され、その下には、シール紙１６０の分割パターンを選択するときに操作される分割数選択画像６３１乃至６３４が表示されている。
【０１６７】
分割数選択画像６３１乃至６３４は、それぞれ１枚のシール紙を表しており、そのうちの分割数選択画像６３１は、１枚のシール紙を４分割にして編集済みの画像を印刷するときに選択され、分割数選択画像６３２は、１枚のシール紙を６分割にして編集済みの画像を印刷するときに選択される。また、分割数選択画像６３３は、１枚のシール紙を８分割にして編集済みの画像を印刷するときに選択され、分割数選択画像６３４は、１枚のシール紙を様々な形の１２分割にして編集済みの画像を印刷するときに選択される。なお、分割数選択画像６３１乃至６３４により表されるもの以外のパターンも用意される（図示せず）。
【０１６８】
また、分割数選択画像６３１乃至６３４のそれぞれに「クーポン券印刷部」と記載されている領域６３１Ａ乃至６３４Ａは、１枚のシール紙のその部分に、図２１の画面からユーザにより選択されたクーポン券が印刷されることを表している。すなわち、写真シール作成装置１においては、クーポン券の特典は、編集済みの画像とともにシール紙に印刷されて、ユーザに提供される。ユーザは、図２２に示されるような画面から、シール紙１６０の分割数を選択することができる。
【０１６９】
ユーザにより分割数が選択されたとき、ステップＳ２１２に進み、制御装置１５０は、プリンタ１５６を制御し、ユーザにより選択された分割数に従って編集済みの画像とクーポン券をシール紙１６０に印刷させ、画像が印刷されたシール紙１６０をシール取り出し口３２に排出させる。
【０１７０】
シール紙１６０を排出した後、制御装置１５０は、ステップＳ２１３に進み、撮影編集空間１５からシール取り出し口３２の前方に移動することをユーザに案内する移動案内画面を撮影編集用モニタ６２に表示させる。
【０１７１】
図２３は、移動案内画面の表示例を示す図である。図に示されるように、例えば、移動案内画面には「シールは、右から出るよ。シール出口で待っててね！！」のコメントが表示される。ユーザは、この案内に従って撮影編集空間１５からシール取り出し口３２の前方に移動し、画像が印刷されたシール紙１６０がシール取り出し口３２に排出されるのを待機する。シール紙１６０を受け取ることにより、ユーザは、一連の写真シール作成装置１の利用を終える（図５の処理を終える）。
【０１７２】
図２４は、編集済みの画像とともに、クーポン券が印刷されたシール紙６５０の例を示す図である。
【０１７３】
画像６５１は、編集が施され、ユーザにより選択された分割数で印刷された画像（図２２には示されていないパターンで印刷された画像）である。それぞれの画像に付加されている星形や黒丸は、ユーザにより施された「落書き」である。
【０１７４】
図２４のシール紙６５０の画像６５１の下には、クレーンゲームの優待券であるクーポン券６５２−１およびクーポン券６５２−２が印刷されている。すなわち、図２４は、図２１のクーポン券選択画面からアイコン６１３が選択された場合の例を示している。ユーザは、このクーポン券６５２−１およびクーポン券６５２−２をシール紙６５１から切り取って、所定のゲームセンタなどで利用することができる。
【０１７５】
また、クーポン券６５２−１およびクーポン券６５２−２に替えて、例えば、図２５Ａ乃至Ｃに示されるようなクーポン券も、ユーザによる選択に応じてシール紙に印刷される。
【０１７６】
図２５Ａは、図２１のクーポン券選択画面からアイコン６１２が選択された場合にシール紙に印刷されるクーポン券６６１の例を示す図である。クーポン券６６１には、例えば「写真シール１枚作成優待券」の文字が印刷され、その右側に、このクーポン券６６１を用いて優待利用することができる写真シール作成装置が、そのことを確認するための２次元バーコード６６１Ａが印刷されている。例えば、写真シール作成装置１の所定の位置に２次元バーコードの検出部が設けられている場合、ユーザは、クーポン券６６１をシール紙から切り取り、２次元バーコード６６１Ａをその検出部により検出させることで、写真シール作成装置１を優待利用することができる。
【０１７７】
図２５Ｂは、図２１のクーポン券選択画面からアイコン６１４が選択された場合にシール紙に印刷されるクーポン券６６２の例を示す図である。クーポン券６６２には、例えば「ポテトフライ  Ｓサイズ」の文字が印刷され、その右側には、このクーポン券６１２が正規に発行されたものであることを表すコード６６２Ａが印刷されている。ユーザは、クーポン券６６２をシール紙から切り取り、それを所定のファーストフード店などで利用することができる。
【０１７８】
図２５Ｃは、図２１のクーポン券選択画面からアイコン６１１が選択された場合にシール紙に印刷されるクーポン券６６３の例を示す図である。クーポン券６６３には、例えば「着信メロディ・プレゼント券」の文字が印刷され、その下には、着信メロディのデータをダウンロードすることができるサイトのURL(Uniform Resource Locator)と、ユーザの認証を行うためのIDとパスワード（Pass）が印刷されている。ユーザは、このURLで指定されるサイトに自分の携帯電話機を利用してアクセスし、クーポン券６３３に印刷されるIDとパスワードを入力することで、着信メロディのデータを携帯電話機にダウンロードし、利用することができる。
【０１７９】
図１８の説明に戻り、ステップＳ２０４において、早退申出時間が３分以上であると判定した場合、制御装置１５０は、ステップＳ２１４に進み、図２０に示される特典選択画面を撮影編集用モニタ６２に表示させる。ここでは、早退申出時間が３分以上あることから、「キラキラ加刷」の特典を受けるときに選択されるアイコン５１１、「画像配信」の特典を受けるときに選択されるアイコン５１２、および「クーポン券」の特典を受けるときに選択されるアイコン５１３の全てが選択可能とされる。
【０１８０】
ステップＳ２１５において、制御装置１５０は、「クーポン券」の特典が選択されたか否かを判定し、選択されたと判定した場合、ステップＳ２０９に進み、それ以降の処理を行う。すなわち、クーポン券の内容を図２１のクーポン券選択画面から選択させた後、選択されたクーポン券が印刷されたシール紙をユーザに提供する。
【０１８１】
一方、ステップＳ２１５において、制御装置１５０は、「クーポン券」の特典が選択されていないと判定した場合、ステップＳ２１６に進み、次に「画像配信」の特典が図２０の特典選択画面から選択されたか否かを判定する。
【０１８２】
ステップＳ２１６において、「画像配信」の特典が選択されたと判定した場合、ステップＳ２１７に進み、ユーザによる分割数の選択を受け付ける。このとき、撮影編集用モニタ６２には、例えば図２６に示されるような画面が表示される。
【０１８３】
図２６に示される分割数選択画面は、基本的には、図２２の選択画面と同様である。すなわち、「分割サイズをえらんでね！」のコメントが表示され、その下に、１枚のシール紙を４分割にして編集済みの画像を印刷するときに選択される分割数選択画像６７１、６分割にして印刷するときに選択される分割数選択画像６７２、８分割にして印刷するときに選択される分割数選択画像６７３、様々な形の１２分割にして印刷するときに選択される分割数選択画像６７４が選択画面に表示される。なお、図２６の例においては、画面の左上に「画像配信モード」の文字が表示されている。
【０１８４】
シール紙の分割数が選択されたとき、ステップＳ２１８において、制御装置１５０は、次に、配信する画像の選択を受け付けるとともに、図２７に示されるような入力画面を撮影編集用モニタ６２に表示させ、選択した画像の配信先のメールアドレス（ユーザの携帯電話機等のメールアドレス）の入力を受け付ける。
【０１８５】
図２７の例においては、「画像配信モード」の文字が画面の上方に表示されるとともに、画面のほぼ中央には、メールアドレスの入力欄６８１が表示される。ユーザは、例えば、撮影編集用モニタ６２の近傍に設けられるキーボードを操作することで、或いは、撮影編集用モニタ６２に表示されるキーボードをタッチペン６３で操作することで、既に選択した画像の配信先のメールアドレスを入力欄６８１に入力する。図２７の例においては、配信画像の選択等をやり直すときに操作されるボタン６８２、入力欄６８１に入力したメールアドレス宛に画像の配信を行うときに操作されるボタン６８３が表示されている。
【０１８６】
画像の配信を行うことが指示されたとき、制御装置１５０は、ステップＳ２１９において画像の配信を実行する。具体的には、制御装置１５０には、図示せぬ有線や無線の通信部が設けられており、制御装置１５０は、ユーザにより選択された画像を、その通信部からインターネットを介して指定された配信先に配信する。
【０１８７】
制御装置１５０は、ステップＳ２２０において、プリンタ１５６を制御し、ユーザにより選択された分割数に従って編集済みの画像をシール紙１６０に印刷させ、シール紙１６０をシール取り出し口３２に排出させる。なお、ここで排出されるシール紙１６０には、図２４を参照して説明したようなクーポン券は印刷されず、編集済みの画像のみが印刷される。なお、ステップＳ２１８の処理とステップＳ２２０(シール印刷)の処理を同時に開始し、ステップＳ２１９の処理の終了時には、ステップＳ２２０が終了している(シール紙が排出されている)ようにすればさらに良い(スループットを向上させることができる)。
【０１８８】
シール紙１６０を排出した後、制御装置１５０は、ステップＳ２２１に進み、撮影編集空間１５からシール取り出し口３２の前方に移動することをユーザに案内する、図２３に示されるような移動案内画面を撮影編集用モニタ６２に表示させる。
【０１８９】
一方、ステップＳ２１６において、図２０の選択画面から「画像配信」が選択されていない、すなわち「キラキラ加刷」、「画像配信」、「クーポン券」の特典の中から「キラキラ加刷」が選択されたと判定した場合、制御装置１５０は、ステップＳ２２２に進み、ユーザによるキラキラ加刷版のシール紙の分割数の選択を受け付ける。
【０１９０】
図２８は、ステップＳ２２２において撮影編集用モニタ６２表示される、キラキラ加刷版のシール紙の分割数選択画面の表示例を示す図である。
【０１９１】
図２８の例においては、「分割サイズをえらんでね！」のコメントが画面の上方に表示され、その下に１枚のシール紙を４分割にして画像を印刷するときに選択される分割数選択画像６９１、６分割にして印刷するときに選択される分割数選択画像６９２、８分割にして印刷するときに選択される分割数選択画像６９３が表示されている。
【０１９２】
また、その下には、「表面コーティングをえらんでね！」のコメントが表示され、シール紙の表面に施されるコーティングの例を示すコーティング選択画像６９４乃至６９７が表示されている。ユーザは、コーティング選択画像６９４乃至６９７から好みのコーティングを選択することができる。
【０１９３】
また、図２８の例においては、ユーザは、ボタン６９８を選択することでコーティングが施されない、通常のシール紙を受け取ることができるとされている。ボタン６９８の右隣には、選択した分割数とコーティングの種類を決定するときに操作される、「ＯＫ」が記載されたボタン６９９が表示されている。なお、図２８の例においては、画面の左上に「キラキラ加刷モード」の文字が表示されている。
【０１９４】
図２８のボタン６９９が操作され、シール紙の分割数とコーティングの種類が決定された場合、制御装置１５０はプリンタ１５６を制御し、ステップＳ２２３において、１枚のシール紙に編集済みの画像を印刷するとともに、ユーザにより選択された種類のキラキラ加工のコーティングをシール紙１６０の表面に施し、シール取り出し口３２から排出させる。
【０１９５】
その後、ステップＳ２２１において、撮影編集空間１５からシール取り出し口３２の前方に移動することをユーザに案内する移動案内画面が表示され、一連の処理が終了される。
【０１９６】
以上のように、早い時間で撮影処理や編集処理を終えたユーザに対して各種の特典が提供されるようにすることにより、写真シール作成装置１の利用を早い時間で終えることをユーザに促すことができる。また、特典を受けるためにそれぞれのユーザが早い時間で利用を終えることにより、写真シール作成装置１を管理する店舗側は、写真シール作成装置１のユーザ回転率（稼働率）を向上させることができ、収益をあげることができる。また、ユーザ側としても、早く終えればそれだけより程度の高い特典を受けることができるため、利用時間が短い場合でも満足感を得ることができる。よって、ユーザの満足度を維持しつつ、ユーザ回転率の向上を図ることができる。
【０１９７】
以上においては、写真シール作成装置１を利用するユーザは、撮影編集空間１５内で撮影と編集の両方を行うとしたが、撮影編集空間１５内では撮影のみを行い、撮影を終えたユーザが、例えば、筐体１１を挟んで撮影編集空間１５の反対側に設けられる別の空間で編集を行う場合の写真シール作成装置においても、利用時間に応じて特典を提供することができる。この場合、あるユーザが撮影を終えてから、次のユーザが撮影を開始するまでの時間（代金を投入するまでの時間）がアイドル時間とされ、そのアイドル時間に応じてモードの設定が行われる。
【０１９８】
［第２の実施の形態］
【０１９９】
図２９は、本発明を適用した写真シール作成装置８０１の外観の構成例を示す図である。
【０２００】
写真シール作成装置８０１においては、図１の写真シール作成装置１の場合とは異なり、ユーザは写真シール作成装置８０１の前方に設けられる撮影空間８１４では撮影のみを行い、撮影を終えた後、背景パネル８１１を挟んで撮影空間８１４の反対側にある編集空間８１５に移動し、そこで編集を行う。これにより、図１の写真シール作成装置１のように１つの撮影編集空間１５で撮影と編集を行わせる場合に較べて、撮影と編集をそれぞれ異なるユーザに並行して行わせることができるため、ユーザの回転率を向上させることができる。
【０２０１】
写真シール作成装置８０１の撮影空間８１４に臨む面８０１Ａには、カメラ８６１、撮影用モニタ８６２、タッチペン８６３、照明装置８６４−１および照明装置８６４−２が設けられている。これらは、図１のカメラ６１、撮影編集用モニタ６２、タッチペン６３（６３−１，６３−２）、照明装置６４（６４−１，６４−２）とそれぞれ同様であり、重複する説明は省略する。すなわち、カメラ８６１は、内部の制御装置９５０（図３０）による制御に従って撮影を行い、撮影用モニタ８６２は、撮影手順についての案内画面やカメラ８６１により撮影された画像を表示する。タッチペン８６３は、ユーザが撮影用モニタ８６２に表示される各種のボタンを選択する際に利用される。
【０２０２】
写真シール作成装置８０１の側面である面８０１Ｂには、ユーザがゲームの開始時にコインを投入するコイン投入口８３１と、画像が印刷されたシール紙が排出されるシール取り出し口８３２が設けられている。
【０２０３】
写真シール作成装置８０１と背景パネル８１１により天井パネル８１２が支持され、その天井パネル８１２には、撮影空間８１４の中が外側から覗かれるのを防止するためのカーテン８１３が取り付けられている。
【０２０４】
背景パネル８１１の編集空間８１５に臨む面には、ＬＣＤなどよりなる編集用モニタ８７１−１および編集用モニタ８７１−２が設けられ、その近傍には、それぞれタッチペン８７２−１およびタッチペン８７２−２が用意される。以下、編集用モニタ８７１−１と編集用モニタ８７１−２を、適宜、編集用モニタ８７１とまとめて称し、タッチペン８７２−１とタッチペン８７２−２を、適宜、タッチペン８７２とまとめて称する。
【０２０５】
撮影空間８１４で撮影が終了したときには、撮影により得られた画像を編集する編集画面が編集用モニタ８７１に表示されることから、ユーザは、タッチペン８７２を利用して、表示される編集画面で撮影画像の編集を行うことができる。編集が施された画像は、図１の写真シール作成装置１の場合と同様に、所定の分割数でシール紙に印刷され、シール取り出し口８３２から排出される。
【０２０６】
このような構成を有する写真シール作成装置８０１においては、編集空間８１５で第１のユーザが編集を行い、第１のユーザの後に写真シール作成装置８０１の利用を開始した第２のユーザが撮影空間８１４で撮影を行っている場合、その第２のユーザは、自分が撮影を終えたにもかかわらず第１のユーザが編集を続けているとき、第１のユーザに対して編集を早く終えることを交渉することができる。この交渉は、第１のユーザと第２のユーザが直接会話することで行われるのではなく、撮影用モニタ８６２の表示と、編集用モニタ８７１の表示を介して行われる。
【０２０７】
また、その交渉によって第１のユーザが早く編集を終了するとした場合、第１のユーザに対しては、図１の写真シール作成装置１の場合と同様に各種の特典が提供される。
【０２０８】
撮影を終えた場合、第２のユーザは、直後に続けて編集を行うためには第１のユーザが編集を終え、編集空間８１５が空くまで撮影空間８１４で待機する必要があるが、このように交渉ができるようにすることにより、編集を迅速に開始することができることがある。
【０２０９】
また、そのような交渉を経て、第２のユーザが編集空間８１５に移動し、編集を迅速に開始させた場合、その直後に第２のユーザに続く第３のユーザが撮影空間８１４に入って撮影を開始させることができることから、ユーザの回転率を向上させることができ、収益をあげることができる。
【０２１０】
また、交渉に応じて編集を早く終えた第１ユーザに対しては特典が提供されることから、編集時間が短縮されたことにより第１のユーザが不満を抱くといったことを最小限に防止することが可能となる。
【０２１１】
第１のユーザと第２のユーザによる交渉を含め、写真シール作成装置８０１の処理についてはフローチャートを参照して後述する。
【０２１２】
図３０は、写真シール作成装置８０１の内部構成例を示すブロック図である。図中、図２９と対応する部分については同一の符号を付してある。
【０２１３】
写真シール作成装置８０１の内部構成は、基本的には図４の写真シール作成装置１の内部構成と同様である。すなわち、制御装置９５０は写真シール作成装置８０１の全体を制御し、カメラ８６１は被写体を撮影する。照明装置８６４−１および照明装置８６４−２は撮影空間８１４内の照明としての機能と、カメラ８６１による撮影時のフラッシュとしての機能を有する。コイン投入部９５１は、図２９のコイン投入口８３１に投入されたコインを検出し、表示プロセッサ９５３は、図４の表示プロセッサ１５３と同様にタッチペン８６３を用いて行われる、タッチパネル９５２に対するユーザの入力を検出するとともに、撮影用モニタ８６２の表示を制御する。この撮影用モニタ８６２とタッチパネル９５２は積層して設けられている。
【０２１４】
プリンタ９５６、ＩＤタグリーダ／ライタ９５７、シール紙ユニット９５８は、図４のプリンタ１５６、ＩＤタグリーダ／ライタ１５７、シール紙ユニット１５８とそれぞれ同様である。また、記憶装置９５５、ドライブ１０００、リムーバブルメディア１００１は、図４の記憶装置１５５、ドライブ２００、リムーバブルメディア２０１とそれぞれ同様である。
【０２１５】
表示プロセッサ９９１は、表示プロセッサ９５３と同様にタッチペン８７２−１を用いて行なわれる、タッチパネル９９２に対するユーザの入力を検出するとともに、制御装置９５０による制御に基づいて編集用モニタ８７１−１に編集画面等を表示させる。表示プロセッサ９９３も表示プロセッサ９９１と同様に、タッチペン８７２−２を用いて行なわれる、タッチパネル９９４に対するユーザの入力を検出するとともに、制御装置９５０による制御に基づいて編集用モニタ８７１−２に編集画面等を表示させる。
【０２１６】
ここで、図３１のフローチャートを参照して、写真シール作成装置８０１の写真シール作成処理について説明する。
【０２１７】
制御装置９５０は、ステップＳ２５１において、撮影空間８１４にいる第２のユーザからの指示に応じて撮影処理を実行し、ステップＳ２５２において、編集空間８１５にいる第１のユーザからの指示に応じて編集処理を実行する。この撮影処理と編集処理は、そのときの状況に応じて並行して実行されることもある。撮影処理の詳細については図３２を参照して、編集処理の詳細については図３７を参照してそれぞれ後述する。
【０２１８】
次に、図３２のフローチャートを参照して、図３１のステップＳ２５１において実行される撮影処理について説明する。
【０２１９】
ステップＳ３０１において、制御装置９５０は表示プロセッサ９５３を制御し、撮影用モニタ８６２にデモ画面を表示させ、ステップＳ３０２において、コイン投入部９５１から出力に基づいてコインが投入されたか否かを判定する。制御装置９５０は、ステップＳ３０２において、コインが投入されたと判定するまで待機し、投入されたと判定した場合、ステップＳ３０３に進む。
【０２２０】
ステップＳ３０３において、制御装置９５０は、撮影および交渉処理を実行する。例えば、撮影が終了されたときに編集空間８１５で編集が継続されている場合、編集を早く終了させることについての交渉が行われる。ステップＳ３０３において実行される処理の詳細については図３３および図３４を参照して後述する。
【０２２１】
ステップＳ３０４において、制御装置９５０は、撮影により得られた画像を撮影部９７１から編集部９７２−１および編集部９７２−１に送信する。すなわち、撮影により得られた画像は、表示プロセッサ９５３のバッファに記憶されているため、制御装置９５０はそれを読み出し、表示プロセッサ９９１および表示プロセッサ９９３のバッファに保存させる。これにより、編集用モニタ８７１に編集対象の画像が表示可能となる。
【０２２２】
制御装置９５０は、ステップＳ３０５において、撮影空間８１４から編集空間８１５に移動し、そこで編集を行うことを案内する移動案内画面を撮影用モニタ８６２に表示させる。ステップＳ３０３の処理によって、このときには編集空間８１５には他のユーザがいないため、撮影を終えた第２のユーザは、編集空間８１５に移動し、そこで編集を行うことができる。その後、図３１のステップＳ２５２の編集処理が実行される。
【０２２３】
ここで、図３３および図３４のフローチャートを参照して、図３２のステップＳ３０３において実行される撮影および交渉処理について説明する。
【０２２４】
ステップＳ３５１において、制御装置９５０は、図３３の処理が開始されてからの時間が撮影制限時間を超えたか否かを判定し、超えていないと判定した場合、ステップＳ３５２に進み、ユーザからの指示に応じてカメラ８６１を制御して撮影を行う。撮影画像は、上述したように表示プロセッサ９５３のバッファに保存されるとともに、撮影用モニタ８６２に表示される撮影画面に表示される。撮影画面には、撮影の残り時間や、撮影を終了させるときにユーザにより操作される終了ボタン等も表示される。
【０２２５】
ステップＳ３５３において、制御装置９５０は、撮影画面に表示される終了ボタンが押下されたか否かを判定し、押下されていないと判定した場合、ステップＳ３５１に戻り、それ以降の処理を繰り返し実行する。一方、制御装置９５０は、ステップＳ３５３において、終了ボタンが押下されたと判定した場合、ステップＳ３５４に進む。すなわち、ユーザは、撮影の残り時間がある場合でも、撮影画面に表示される終了ボタンを押下することで、撮影を終了させ、続いて編集処理を行うことができる。
【０２２６】
ステップＳ３５４において、制御装置９５０は、交渉フラグに１を設定する。この交渉フラグが「１」である場合、それは、編集空間８１５で編集処理を行っている第２のユーザには、編集処理を早く終了させることについて交渉する意思があることを表し、交渉フラグが「０」である場合、それは、交渉する意思がないことを表す。第２のユーザが撮影を終えた直後にはデフォルトの値として「１」が設定され、後述するように、例えば、第２のユーザからの交渉に応じて第１のユーザがその打ち切りを指示したときに、交渉フラグに「０」が設定される。
【０２２７】
ステップＳ３５５において、制御装置９５０は、自分自身で管理する編集空間フラグが１であるか否かを判定する。この編集空間フラグが「１」である場合、それは、編集空間８１５で編集処理を行っている第１のユーザがいることを表し、編集空間フラグが「０」である場合、それは、編集空間８１５で編集処理を行っている第１のユーザがいないことを表す。
【０２２８】
制御装置９５０は、ステップＳ３５５において、編集空間フラグが０である、すなわち編集空間８１５で編集処理を行っている第１のユーザがいないと判定した場合、図３２のステップＳ３０４以降の処理を実行する。この場合、撮影を終えた第２のユーザは、案内（図３２のステップＳ３０５で表示される案内）に従って編集空間８１５に移動し、撮影画像の編集を行う。
【０２２９】
一方、ステップＳ３５５において、制御装置９５０は、編集空間フラグが１である、すなわち編集空間８１５で編集処理を行っている第１のユーザがいると判定した場合、ステップＳ３５６に進み、次に、交渉フラグが１であるか否かを判定する。
【０２３０】
制御装置９５０は、ステップＳ３５６において、交渉フラグが０である、すなわち編集空間８１５で編集処理を行っている第１のユーザにより既に交渉の打ち切りが要求されており、第１のユーザには交渉を行う意思がないと判定した場合、ステップＳ３５７に進み、サブゲーム処理を実行する。ここでは、時間つぶしのための例えばモグラたたきゲームなどの画面が撮影用モニタ８６２に表示される。
【０２３１】
撮影を終えた第２のユーザは、タッチペン８６３を用いるなどして、編集空間８１５で編集を継続する第１のユーザが編集を終えるまでゲームを行う。なお、編集空間８１５にいる第１のユーザが編集を終えるまでの間、撮影を再度行うことができるようにしてもよいし、簡易な編集を撮影用モニタ８６２で行うことができるようにしてもよい。その後、処理はステップＳ３５５に戻り、それ以降の処理が繰り返される。
【０２３２】
一方、ステップＳ３５６において、交渉フラグが１である、すなわち編集空間８１５で編集処理を行っている第１のユーザには交渉を行う意思があると判定した場合、ステップＳ３５８に進み、制御装置９５０は、立ち退き交渉を行うか否かを判定する。このとき、撮影用モニタ８６２には例えば図３５に示されるような選択画面が表示され、制御装置９５０は選択画面に対する入力に基づいてここでの判定を行う。
【０２３３】
図３５の例においては、「先客が編集中です。立ち退き交渉しますか？」のコメントが表示され、そのコメントの下に、立ち退き交渉を行うときに操作されるＹＥＳボタン１０１１、立ち退き交渉を行わないときに操作されるＮＯボタン１０１２が表示されている。撮影を終えた第２のユーザは、この選択画面から、立ち退き交渉を行うか否かをタッチペン８６３を用いて選択する。
【０２３４】
ステップＳ３５８において、図３５の選択画面から立ち退き交渉を行わないことが選択されたと判定した場合（ＮＯボタン１０１２が操作された場合）、制御装置９５０は、ステップＳ３５９に進み、交渉フラグに０を設定し、ステップＳ３５７に進み、サブゲーム処理を実行する。立ち退き交渉を行わない場合、撮影を終えた第２のユーザは、編集編集空間８１５が空くまで撮影空間８１４で待機することになる。
【０２３５】
制御装置９５０は、ステップＳ３５８において、立ち退き交渉を行うことが選択されたと判定した場合（ＹＥＳボタン１０１１が操作された場合）、ステップＳ３６０に進み、編集処理を早く終了させることについて、編集空間８１５にいる第１のユーザに対して交渉を行う。
【０２３６】
このとき、編集用モニタ８７１には、編集処理を終了させることにより、クーポン券などの特典を受けることができることを案内するコメント等が表示される（後述する図４１）。それまで編集を行っていたユーザは、特典を受ける代わりに編集を終了させるか、特典を受けずに制限時間内で編集を継続することを選択することができる。なお、編集の継続のうちにも、再交渉の意思を残しつつ編集を継続することと、交渉を完全に打ち切って（再交渉の余地なく）編集を継続することとがある。編集用モニタ８７１に表示される画面については後に詳述する。
【０２３７】
ステップＳ３６１において、制御装置９５０は、表示プロセッサ９９１および表示プロセッサ９９３からの出力に基づいて、交渉が成立したか否か、すなわち、特典を受ける代わりに編集を終了させることが第１のユーザにより選択されたか否かを判定する。
【０２３８】
制御装置９５０は、ステップＳ３６１において、交渉が成立していないと判定した場合、ステップＳ３６２に進み、次に、交渉が打ち切られたか否かを判定する。ステップＳ３６２において、再交渉の余地なく交渉が打ち切られたと判定した場合、制御装置９５０は、ステップＳ３５９に進み、交渉フラグに０を設定した後、ステップＳ３５７以降の処理を行う。この場合、撮影を終えた第２のユーザは、第１のユーザが編集を終えるまで撮影空間８１４で待機する。
【０２３９】
一方、ステップＳ３６２において、交渉が打ち切られていないと判定した場合、ステップＳ３６３に進み、制御装置９５０は、再交渉を行うことが第２のユーザから指示されたか否かを判定する。
【０２４０】
図３６は、再交渉を行うか否かを第２のユーザに選択させる選択画面の表示例を示す図である。例えば、再交渉の際には、自分（第２のユーザ）に与えられる編集時間を短縮する（例えば３０秒短縮する）代わりに、１度目の交渉（ステップＳ３６０）で第１のユーザに提示された特典よりも、より程度の高い特典が第１のユーザに提示され、編集を終了させることが促される。従って、再交渉の選択画面には、そのことを表す「立ち退き交渉不成立。自分達の編集時間を短縮することを条件に、先客への特典条件をアップし、再交渉することができます。」のコメントが図３６に示されるように表示される。
【０２４１】
図３６の例においては、再交渉を行うときに操作されるボタン１０２１、再交渉を行わないときに操作されるボタン１０２２がコメントの下に表示されている。
【０２４２】
制御装置９５０は、ステップＳ３６３において、ユーザにより再交渉を行うことが選択されていないと判定した場合（ボタン１０２２が操作された場合）、ステップＳ３５９に進む。すなわち、この場合も、撮影を終えた第２のユーザは、第１のユーザが編集を終えるまで撮影空間８１４で待機することになる。
【０２４３】
ステップＳ３６３において、ユーザにより再交渉を行うことが選択されたと判定した場合（ボタン１０２１が操作された場合）、ステップＳ３６４に進み、制御装置９５０は、編集空間８１５にいる第１のユーザに提示する特典（１度目の交渉における特典よりも、より程度の高い特典）の内容を撮影用モニタ８６２に表示させ、第２のユーザに確認させる。
【０２４４】
再交渉において提示される特典の内容が撮影用モニタ８６２に表示された後、処理はステップＳ３６０に戻り、再交渉が行われる。編集空間８１５にいる第１のユーザは、この再交渉に応じて交渉に応じるのか、または編集を継続するのかを選択する。
【０２４５】
ステップＳ３６１において、ステップＳ３６０で行われる１度目の交渉が成立したと判定した場合、または、再交渉が成立したと判定した場合、ステップＳ３６５に進み、再交渉が成立している場合には、例えば、編集時間を短縮するなどの、撮影空間８１４にいる第２のユーザの編集処理に制限を加える。例えば、第２のユーザの編集処理の制限時間は、３０秒短縮される。その後、図３２のステップＳ３０４以降の処理が実行される。交渉に応じた第１のユーザは、編集を直ちに終了させ、シール取り出し口８３２から排出されるシール紙を受け取るべく、編集空間８１５から移動する。
【０２４６】
次に、図３７のフローチャートを参照して、図３１のステップＳ２５２において実行される編集処理について説明する。
【０２４７】
制御装置９５０は、ステップＳ４０１において、編集用モニタ８７１にデモ画面を表示させる。例えば、撮影から開始することを表す画面や、編集手順を説明する画面などが表示される。
【０２４８】
ステップＳ４０２において、制御装置９５０は、図３２のステップＳ３０４で送信される画像の受信が完了したか否か（表示プロセッサ９５３のバッファに記憶されていた撮影画像が表示プロセッサ９９１および表示プロセッサ９９３のバッファに転送されたか否か）を判定し、受信が完了したと判定するまで待機する。
【０２４９】
制御装置９５０は、ステップＳ４０２において、画像の受信が完了したと判定した場合、編集フラグに１を設定する。上述したように、編集空間フラグに１が設定されていることは、編集空間８１５で編集処理を行っている第１のユーザがいることを表す。
【０２５０】
ステップＳ４０４において、制御装置９５０は、編集および交渉処理を行う。ここでは、編集用モニタ８７１に表示される編集画面での画像の編集の他、撮影空間８１４にいる第２のユーザとの間で、編集を早く終了させることについての交渉が行われる。ステップＳ４０４において実行される処理の詳細については図３８および図３９を参照して後述する。
【０２５１】
編集および交渉処理を終了させた後、制御装置９５０は、ステップＳ４０５において、分割数の選択および印刷処理を実行する。例えば、図２６に示されるような、複数の分割パターンを表す画像が編集用モニタ８７１に表示され、ユーザは、その表示から分割数を選択する。分割数が選択された後、制御装置９５０は、プリンタ９５６を制御し、選択された分割数に従って編集が施された画像をシール紙９６０に印刷させる。
【０２５２】
ステップＳ４０６において、制御装置９５０は、編集フラグに０を設定する。上述したように、編集空間フラグに０が設定されていることは、編集空間８１５で編集処理を行っている第１のユーザがいないことを表す。その後、画像が印刷されたシール紙がシール取り出し口８３２に排出され、写真シール作成装置８０１の一連の処理が終了される。
【０２５３】
ここで、図３８および図３９のフローチャートを参照して、図３７のステップＳ４０４において実行される編集および交渉処理について説明する。
【０２５４】
ステップＳ４５１において、制御装置９５０は、図３８の処理が開始されてからの時間が編集制限時間を超えたか否かを判定し、超えていないと判定した場合、ステップＳ４５２に進み、ユーザからの指示に応じて画像の編集を行う。
【０２５５】
編集制限時間は、例えば、そのとき編集を行っているユーザが、自分の編集処理に制限が加えられる代わりに編集を早く開始させていた場合（再交渉を経て編集を開始させていた場合）、デフォルトの編集制限時間が若干短縮された時間となる。なお、編集を行うために、編集用モニタ８７１には、図１６に示されるような、編集対象の画像と各種の編集ツールを選択するときに操作されるボタン、および、編集の終了を指示するときに操作される終了ボタンを含む編集画面が表示される。
【０２５６】
ステップＳ４５３において、制御装置９５０は、撮影空間８１４にいる第２のユーザから立ち退き交渉がされた否かを判定し、立ち退き交渉がされていないと判定した場合、ステップＳ４５４に進み、編集画面に表示される終了ボタンが第１のユーザにより押下されたか否かを判定する。
【０２５７】
制御装置９５０は、ステップＳ４５４において終了ボタンが押下されていないと判定した場合、ステップＳ４５１に戻り、それ以降の処理を繰り返し実行し、一方、終了ボタンが押下されたと判定した場合、図３７のステップＳ４０５以降の処理を実行する。
【０２５８】
制御装置９５０は、ステップＳ４５３において、第２のユーザから立ち退き交渉がされたと判定した場合、ステップＳ４５５に進み、図４０に示されるように、「お知らせ」と記載されたお知らせボタン１０３１を編集用モニタ８７１に点滅表示させる。このお知らせボタン１０３１が選択された場合、立ち退き交渉を行なうことができ、お知らせボタン１０３１が選択されなかった場合、立ち退き交渉は打ち切りとされる。
【０２５９】
ステップＳ４５６において、制御装置９５０は、図４０の編集画面８７１に表示されているお知らせボタン１０３１が一定時間（例えば２０秒）内に選択されたか否かを判定し、お知らせボタン１０３１が一定時間内に選択されていないと判定された場合、処理はステップＳ４５９に進む。
【０２６０】
ステップＳ４５６において、お知らせボタン１０３１が一定時間内に選択されたと判定された場合、ステップＳ４５７において制御装置９５０は、例えば、図４１に示されるように立ち退き条件（特典）を編集用モニタ８７１に表示させる。
【０２６１】
図４１は、立ち退き条件の表示例を示す図である。図４１の例においては、「今、早期終了すると、下記の特典をGETできます！」のコメントが画面上方に表示され、画面のほぼ中央には、そのときの交渉に応じて編集を早期終了させた場合に、第１のユーザが受けることができる特典である特典１０４１の内容が表示されている。特典１０４１は、残り時間を９０秒以上残して編集処理を終了させることにより、例えば、写真シール作成装置８０１の次回の利用料金が１５０円分ディスカウントされるクーポン券が提供されることを表している。
【０２６２】
また、図４１の例においては、交渉を成立させ、提示される特典を受ける代わりに編集を終了させるときに操作されるボタン１０４２、再交渉の余地を残しつつ、そのときの交渉は不成立とし、編集を継続させるときに操作されるボタン１０４３が特典１０４１の下に表示されている。さらに、特典１０４１の下には、再交渉の余地を残さずに交渉を打ち切り、交渉を不成立とするときに操作されるボタン１０４４が表示されている。
【０２６３】
例えば、図４１の画面からボタン１０４２を操作し、編集を終了させた場合、ユーザは、特典１０４１により提示される１５０円分のクーポン券を特典として受けることができる。あるいは、ボタン１０４２が操作された場合、直ちに編集を終了させるのではなく、若干残余時間（例えば２０秒）を残しておき、その残余時間が経過したとき（ボタン１０４２が操作されてから２０秒経過したとき）に編集を終了させるようにしても良い。これにより、落書き途中や落書き不完全で、編集処理が突然終了するのを回避することができる。
【０２６４】
なお、編集の残り時間に応じて、クーポン券によりディスカウントされる金額は異なるものとされる。
【０２６５】
例えば、第１のユーザに与えられた編集処理の制限時間のうち、残り時間が９０秒以上あるタイミングで第２のユーザから交渉が行われた場合、上述したように１５０円分ディスカウントされるクーポン券が発行されることが表示され、第１のユーザに与えられた編集処理の制限時間のうち、残り時間が６０秒以上（６０秒以上、９０秒未満）あるタイミングで第２のユーザから交渉が行われた場合、１００円分ディスカウントされるクーポン券が発行されることが表示される。
【０２６６】
また、第１のユーザに与えられた編集処理の制限時間のうち、残り時間が３０秒以上（３０秒以上、６０秒未満）あるタイミングで第２のユーザから交渉が行われた場合、５０円分ディスカウントされるクーポン券が発行されることが表示され、第１のユーザに与えられた編集処理の制限時間のうち、残り時間が１秒以上（１秒以上、３０秒未満）あるタイミングで第２のユーザから交渉が行われた場合、３０円分ディスカウントされるクーポン券が発行されることが表示される。
【０２６７】
従って、第１のユーザは、編集処理を開始してから早いタイミングで行われた交渉に応じることにより、その分だけよりディスカウント幅が大きいクーポン券の発行を受けること、換言すればより程度の高い特典を得ることができる。すなわち、編集を早く終えることを促すことができ、写真シール作成装置８０１を設定する店舗側とすれば回転率を向上させ、収益をあげることができる。
【０２６８】
図３８の説明に戻り、ステップＳ４５８において、制御装置９５０は、図４１の画面から第１のユーザにより交渉の打ち切りが選択されたか否か（ボタン１０４４が押下されたか否か）を判定する。制御装置９５０は、ステップＳ４５８において交渉の打ち切りが選択されたと判定した場合、またはステップＳ４５６においてお知らせボタン１０３１が一定時間内に選択されなかったと判定した場合、ステップＳ４５９に進み、撮影空間８１４にいる第２のユーザに交渉が打ち切られたことを通知する。例えば、撮影空間８１４内の撮影用モニタ８６２には、交渉が打ち切られたことを通知する画面が表示される。
【０２６９】
交渉を打ち切り、編集を継続することが選択されたことから、処理はステップＳ４５１に戻り、それ以降の処理が繰り返される。
【０２７０】
一方、ステップＳ４５８において、交渉の打ち切りが選択されなかったと判定した場合、ステップＳ４６０に進む。ステップＳ４６０において、制御装置９５０は、交渉の継続が選択されたか否か（ボタン１０４３が押下されたか否か）を判定し、交渉の継続が選択されたと判定した場合、ステップＳ４６１に進み、撮影空間８１４にいる第２のユーザに交渉の継続、すなわち再交渉の余地があることを通知する。例えば、撮影空間８１４内の撮影用モニタ８６２には図３６の画面が表示される。
【０２７１】
その後、処理はステップＳ４５１に戻り、それ以降の処理が繰り返される。例えば、図３６の画面から第２のユーザにより再交渉を行うことが要求された場合、ステップＳ４５１乃至ステップＳ４５３、ステップＳ４５５およびステップＳ４５６の処理を経て（実際には、ステップＳ４５６においてお知らせボタン１０３１が一定時間内に選択されたとき）、制御装置９５０は、ステップＳ４５７において、例えば図４２に示される画面を編集用モニタ８７１に表示させる。
【０２７２】
上述したように、再交渉の際には、第２のユーザに与えられる編集時間を短縮する代わりに、１度目の交渉で提示された特典よりも、より程度の高い特典が第１のユーザに提示され、編集を終了させることが促される。従って、再交渉が要求されたときに表示される画面には、例えば、図４１の特典１０４１と較べてディスカウント幅の大きい、２００円のクーポン券が提供されることを案内する特典１０６１が編集用モニタ８７１に表示される。図４２においては、特典１０６１として、「クーポン券  （２００円相当！！）  条件５０円アップしたよ」のコメントが表示される。また、図中、特典１０６１の上方には、「再交渉（１回目）」というコメントが表示されている。これにより第１のユーザは、１回目の再交渉であることを知ることができる。
【０２７３】
なお、再交渉の場合にも、編集の残り時間に応じてクーポン券によるディスカウント幅が異なるものとされる。
【０２７４】
例えば、第１のユーザに与えられた編集処理の制限時間のうち、残り時間が９０秒以上あるタイミングで第２のユーザから再交渉が行われた場合、再交渉１回につき条件を５０円アップするとすれば、上述したように２００円分ディスカウントされるクーポン券が発行されることが表示され、第１のユーザに与えられた編集処理の制限時間のうち、残り時間が６０秒以上（６０秒以上、９０秒未満）あるタイミングで第２のユーザから交渉が行われた場合、１５０円分ディスカウントされるクーポン券が発行されることが表示される。
【０２７５】
また、第１のユーザに与えられた編集処理の制限時間のうち、残り時間が３０秒以上（３０秒以上、６０秒未満）あるタイミングで第２のユーザから交渉が行われた場合、１００円分ディスカウントされるクーポン券が発行されることが表示され、第１のユーザに与えられた編集処理の制限時間のうち、残り時間が１秒以上（１秒以上、３０秒未満）あるタイミングで第２のユーザから交渉が行われた場合、８０円分ディスカウントされるクーポン券が発行されることが表示される。
【０２７６】
このように、再交渉の際に提示されるクーポン券によるディスカウントの金額は、１度目の交渉の際に提示されるクーポン券によるディスカウントの金額と較べて、同じタイミングで交渉が行われた場合でもその額が大きいものとなる。従って、１度目の交渉に較べて、再交渉の方が編集処理を早く終了させることを強く促すことができる。
【０２７７】
図３９の説明に戻り、ステップＳ４６０において、交渉継続が選択されていないと判定した場合、制御装置９５０は、図４１または図４２の画面から、編集を終了し、交渉を成立させることが指示されたと判定し（ボタン１０４２が操作されたと判定し）、ステップＳ４６２に進む。なお、図４２の画面において、再交渉が成立した場合、第１のユーザは、早期退出の見返り（特典）としてクーポン券（２００円相当）の提供を受けることができる。また、第２のユーザは、早期に編集を開始できるが、編集処理の制限時間は３０秒短縮されることになる。
【０２７８】
ステップＳ４６２において、制御装置９５０は、撮影空間８１４にいる第２のユーザに交渉が成立したことを通知する。このとき、撮影空間８１４内の撮影用モニタ８６２には、交渉が成立したことを通知する画面が表示される。
【０２７９】
その後、制御装置９５０は、ステップＳ４６３において、第１のユーザに特典が提供されるように設定し、図３７のステップＳ４０５以降の処理を実行する。交渉を成立させた第１のユーザに提供されるシール紙には、編集済みの画像とともに、図２４に示されるようなクーポン券が印刷される。
【０２８０】
このように、交渉のその時点での編集処理の残り時間（編集処理の残時間）と交渉回数の組み合わせにより、ディスカウントの金額が決定されるので、ある程度の交渉テクニックおよびスキルが必要となり、よって、ゲーム性を大きくすることができる。
【０２８１】
なお、再交渉の回数や交渉間隔に制限を設けたり、第１のユーザに提示する条件のアップ額や第２のユーザに対する制限条件（編集時間の短縮）を交渉ごとに増減させるようにしてもよい。
【０２８２】
以上のように、撮影を終えた第２のユーザが、編集を続けている第１のユーザに対して編集を早く終了させるように交渉することができるようにすることにより、第２のユーザは、編集を迅速に開始させることができることがある。また、ユーザの回転率を向上させることができる。さらに、交渉に応じて早く編集を終えることにより特典を受けることができるため、第２のユーザが、編集時間が短縮されたことによる不満を感じることを抑制することができる。
【０２８３】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０２８４】
【図１】本発明を適用した写真シール作成装置の外観の構成例を示す図である。
【図２】残時間表示モニタに表示される画面の例を示す図である。
【図３】残時間表示モニタに表示される画面の他の例を示す図である。
【図４】写真シール作成装置の内部構成例を示すブロック図である。
【図５】写真シール作成装置の写真シール作成処理について説明するフローチャートである。
【図６】デモ画面の例を示す図である。
【図７】デモ画面の他の例を示す図である。
【図８】図５のステップＳ１において実行される混雑度判定処理について説明するフローチャートである。
【図９】デモ画面に表示されるサブ画像の例を示す図である。
【図１０】図５のステップＳ４において実行される撮影処理について説明するフローチャートである。
【図１１】図５のステップＳ４において実行される撮影処理について説明する、図１０に続くフローチャートである。
【図１２】撮影コース選択画面の表示例を示す図である。
【図１３】撮影コース選択画面の他の表示例を示す図である。
【図１４】撮影画面の表示例を示す図である。
【図１５】図５のステップＳ５において実行される編集処理について説明するフローチャートである。
【図１６】編集画面の表示例を示す図である。
【図１７】編集画面の他の表示例を示す図である。
【図１８】図５のステップＳ６において実行される分割選択および印刷処理について説明するフローチャートである。
【図１９】図５のステップＳ６において実行される分割選択および印刷処理について説明する、図１８に続くフローチャートである。
【図２０】特典選択画面の表示例を示す図である。
【図２１】クーポン券選択画面の表示例を示す図である。
【図２２】分割数選択画面の表示例を示す図である。
【図２３】移動案内画面の表示例を示す図である。
【図２４】シール紙の例を示す図である。
【図２５】クーポン券の例を示す図である。
【図２６】分割数選択画面の他の表示例を示す図である。
【図２７】メールアドレス入力画面の表示例を示す図である。
【図２８】分割数選択画面のさらに他の表示例を示す図である。
【図２９】本発明を適用した他の写真シール作成装置の外観の構成例を示す図である。
【図３０】図２９の写真シール作成装置の内部構成例を示すブロック図である。
【図３１】図２９の写真シール作成装置により行われる写真シール作成処理について説明するフローチャートである。
【図３２】図３１のステップＳ２５１において実行される撮影処理について説明するフローチャートである。
【図３３】図３２のステップＳ３０３において実行される撮影および交渉処理について説明するフローチャートである。
【図３４】図３２のステップＳ３０３において実行される撮影および交渉処理について説明する、図３３に続くフローチャートである。
【図３５】交渉の選択画面の表示例を示す図である。
【図３６】再交渉の選択画面の表示例を示す図である。
【図３７】図３１のステップＳ２５２において実行される編集処理について説明するフローチャートである。
【図３８】図３７のステップＳ４０４において実行される編集および交渉処理について説明するフローチャートである。
【図３９】図３７のステップＳ４０４において実行される編集および交渉処理について説明する、図３８に続くフローチャートである。
【図４０】お知らせボタンが表示された編集画面の表示例を示す図である。
【図４１】立ち退き条件の表示例を示す図である。
【図４２】立ち退き条件の他の表示例を示す図である。
【符号の説明】
【０２８５】
１  写真シール作成装置
１５  撮影編集空間
３３  残時間表示モニタ
６１  カメラ
６２  撮影編集用モニタ
１５０  制御装置
８０１  写真シール作成装置
８１４  撮影空間
８１５  編集空間
８６１  カメラ
８６２  撮影用モニタ
８７１−１，８７１−２  編集用モニタ
９５０  制御装置
【図１】
2005121896.tif 000003
【図２】
2005121896.tif 000004
【図３】
2005121896.tif 000005
【図４】
2005121896.tif 000006
【図５】
2005121896.tif 000007
【図６】
2005121896.tif 000008
【図７】
2005121896.tif 000009
【図８】
2005121896.tif 000010
【図９】
2005121896.tif 000011
【図１０】
2005121896.tif 000012
【図１１】
2005121896.tif 000013
【図１２】
2005121896.tif 000014
【図１３】
2005121896.tif 000015
【図１４】
2005121896.tif 000016
【図１５】
2005121896.tif 000017
【図１６】
2005121896.tif 000018
【図１７】
2005121896.tif 000019
【図１８】
2005121896.tif 000020
【図１９】
2005121896.tif 000021
【図２０】
2005121896.tif 000022
【図２１】
2005121896.tif 000023
【図２２】
2005121896.tif 000024
【図２３】
2005121896.tif 000025
【図２４】
2005121896.tif 000026
【図２５】
2005121896.tif 000027
【図２６】
2005121896.tif 000028
【図２７】
2005121896.tif 000029
【図２８】
2005121896.tif 000030
【図２９】
2005121896.tif 000031
【図３０】
2005121896.tif 000032
【図３１】
2005121896.tif 000033
【図３２】
2005121896.tif 000034
【図３３】
2005121896.tif 000035
【図３４】
2005121896.tif 000036
【図３５】
2005121896.tif 000037
【図３６】
2005121896.tif 000038
【図３７】
2005121896.tif 000039
【図３８】
2005121896.tif 000040
【図３９】
2005121896.tif 000041
【図４０】
2005121896.tif 000042
【図４１】
2005121896.tif 000043
【図４２】
2005121896.tif 000044